(57)【要約】【課題】口角部に対する接触刺激を確実に付与でき笑顔意識や発声等を向上促進すると共に、手軽且つ利便性を有して使用することができる顔接触部材として、表情筋等のトレーニングを楽しく継続させることができる顔筋トレーニング具を提供する。【解決手段】  頭部又は顔部に着脱自在に装着するための装着部材１０と、この装着部材１０を頭部又は顔部に装着したとき、口角部の外側又は内側又は口角部の唇奥側の口縁となる口角後縁等に接触する口角接触具７とから構成した。【選択図】図９
2016063940.tif 000002
【特許請求の範囲】
【請求項１】
頭部又は顔部に着脱自在に装着するための装着部材（１０）と、この装着部材（１０）を頭部又は顔部に装着したとき、口角部の外側又は内側又は口角部の唇奥側の口縁となる口角後縁等に接触する口角接触具（７）とから構成してなることを特徴とする顔筋トレーニング具。
【請求項２】
前記口角接触具（７）に、奥歯で噛挟みをする噛み部（２ａ）を有する噛み本体（２）を設けたことを特徴とする請求項１に記載の顔筋トレーニング具。
【請求項３】
前記口角接触具（７）又は噛み本体（２）を、装着部材（１０）の左右で口角部に向けて設けたつる部（１０ｂ）に、一体的又は着脱自在に設けたことを特徴とする請求項１又は請求項２に記載の顔筋トレーニング具。
【請求項４】
前記口角接触具（７）を、口角部の外側から接触させる口外接触片（７ａ）と口角部の内側から接触させる口内接触片（７ｂ）と、両者の間で口角後縁に接触させる口縁接触軸部（７ｃ）とによって形成したことを特徴とする請求項１乃至請求項３のいずれかに記載の顔筋トレーニング具。
【請求項５】
前記口角接触具（７）又は噛み本体（２）を、装着部材（１０）に取付手段（９）を介して取付軸心周りに回動自在に設けたことを特徴とする請求項１乃至請求項４のいずれかに記載の顔筋トレーニング具。
【請求項６】
前記口角接触具（７）又は噛み本体（２）又は装着部材（１０）に、口内接触片（７ｂ）又は噛み本体（２）の唾液で濡れる噛挟み部と床面（Ａ）との接触を防止する枕部（３），（８ｍ）を設けたことを特徴とする請求項１乃至請求項５のいずれかに記載の顔筋トレーニング具。
【請求項７】
前記装着部材（１０）を、鼻の前方又は頭の上方或は後方又は顎の前方或は下方を横断させる横連結部材（１０ｃ）と、該横連結部材（１０ｃ）の両端部に取付けられて口角接触具（７）を着脱自在に取付ける取付手段（９）によって構成したことを特徴とする請求項１乃至請求項６のいずれかに記載の顔筋トレーニング具。
【請求項８】
前記装着部材（１０）にメガネフレーム部（４５）を設け、該メガネフレーム部（４５）に速読トレーニング又はアイトレーニング又は発声トレーニング等を助成するトレーニング助成手段を設けたことを特徴とする請求項１乃至請求項７のいずれかに記載の顔筋トレーニング具。
【請求項９】
前記装着部材（１０）を、顔に着脱自在に装着されるマスク（６７）又は粘着性を有するテープ又はシート等からなる被膜部材とし、該被膜部材に口角接触具（７）を取付けたことを特徴とする請求項１乃至請求項５のいずれかに記載の顔筋トレーニング具。
【請求項１０】
前記装着部材（１０）又は口角接触具（７）又は噛み本体（２）に、顔筋や発声トレーニングを音声によって助成する音声機器、又は顔筋に電気的又は動力的な刺激を付与する顔筋刺激付与手段、又は顔筋に動力的な振動負荷を付与する顔筋運動手段（４０）、又は有益香を発生する芳香手段、又は治療機器等の補助機器（５）等からなるトレーニング助成手段を設けたことを特徴とする請求項１乃至請求項９のいずれかに記載の顔筋トレーニング具。
【発明の詳細な説明】
【技術分野】
【０００１】
本発明は、顔接触部材としての口角接触具を装着部材によって口角部に接触保持して使用する顔筋トレーニング具に関する。
【背景技術】
【０００２】
従来、表声（地声）による音域を拡げるためのトレーニングに使用される発声トレーニング器具は、特許文献１に示されるものが既に公知である。この発声トレーニング器具は、肉厚が５〜２０ミリの範囲内の２つの噛挟部を延出部によって繋いで平面視Ｕ字状に構成することにより、２つの噛挟部の全体を口の中に挿入した状態で、両者を上下左右の奥歯で同時に噛むと共に、両延出部を前唇の外に張り出し保持した状態で、表声の音域を拡げるように発声トレーニングをするものである。
また口腔内に滴形状の口腔体を入れた状態で発生練習をする発声練習具は、特許文献２に示されるものが既に公知である。
【０００３】
一方、テレビやインターネット並びに書籍等で紹介されている手軽な噛挟み具として、口奥で横向きに銜える噛挟み具としての滑舌棒とそのトレーニング方法が、例えば非特許文献１に紹介されているように既に公知である。この滑舌棒は、直径１センチ程度の円柱状の木製棒を１４〜１５センチの長さに切ったものであり、これを奥歯で軽く噛んだ噛挟み状態で、例えば「ブラジル人のミラクルビラ配り」、「柿の木栗の木かきくけこ」など、種々のフレーズを繰返し声に出して唱えることが効果的であるとされている。また箸やナイフを滑舌棒として噛挟みをすると、自ずと口角を上げる笑顔トレーニングになること、このとき「あいうえお」等と発声練習を同時にすると、口角筋や口輪筋等の顔の表情筋（顔筋）を鍛えながら、よい笑顔習慣や口元を美しく躾ける明るい笑顔美人を目指すと共に、きれいな発音会話を通し相手に笑顔と快適な印象を与えることができ、美と健康と人材育成によって人間関係をいきいきと良好にすることから、ビジネスを好結果に促進するとされている（非特許文献１中、平林都氏、福澤明氏提唱）。
【０００４】
そして、上記顔筋運動に効果のある各種トレーニングは、脳科学的な知見から脳内血流を活性させる海馬への血流増加を促すため、記憶活性及び集中力向上さらには認知症予防にも効果があると提唱されている。さらに、近年の脳研究では、「口角部を上げたり拡張する動作や意識は、脳にとっては笑顔状態であり、いま幸せであると、反射的に認知する。」とマスコミやテレビで報道されている。このことは、「人は幸せだから笑う（笑顔になる）のではなく、笑う（笑顔にする）から幸せなのだ」（哲学者アランによる幸福論中の提唱語録意）にあるように、口角に笑顔刺激を意識的に付与すると、笑顔信号を受けた脳は、今私は幸せなのだと幸せ情報を潜在意識に蓄積させることから、幸福創造を自律化すると言われている。
一方、近年提唱されているスポーツ科学分野では、オリンピック短距離走において笑顔状態で練習を重ねた選手が記録更新に繋げた事例が証明されており、他の運動や修練並びに稽古ごとの分野においても、必要以上の緊張や執着を排した笑顔状態のリラックス意識によるトレーニングを、より科学的に実践し易くする方法論が研究解明中である。このスポーツ理論によれば、一般人が運動時に意識的に笑顔を持続することが困難であることから、笑顔状態を創出するツールが希求されている。このように現代では、潜在意識的な知見からも笑顔状態を持続させるトレーニングの重要性が指摘されている。
【先行技術文献】
【特許文献】
【０００５】
【特許文献１】特開平１０−２９３５２８号公報
【特許文献２】実開昭６２−８１９７５号公報
【非特許文献】
【０００６】
【非特許文献１】書籍「賢人の話し方」（株式会社幻冬舎発行）、ページ１２４，１２５、ページ１４６，１４７
【発明の概要】
【発明が解決しようとする課題】
【０００７】
上記特許文献１に示される発声トレーニング器具は、Ｕ字形状の両端に形成される噛挟部を口中に入れ奥歯で噛んで表声の音域を拡げる滑舌棒として勝れている。然しながら、この滑舌棒は平面視Ｕ字形状であること及び側面視で平坦状であるため、トレーニング中に銜えた滑舌棒を所用や都合等によって一時的に口から取出し、机上や洗面台等の使用場所で近隣の置台（以下床面と言う）に置いたのち再び口に銜えてトレーニングを再開する場合に、滑舌棒は唾液で濡れている噛み部が床面に接触して汚れ不潔感を伴う状態になっているため、トレーニングを中断し洗浄をしたのち再使用をするか、別の滑舌棒を準備して再トレーニングを継続しなければならない等の欠点がある。
【０００８】
さらに、特許文献１の滑舌棒はＵ字形状の延出部が唇を開いて前方に突出するものであり、また特許文献２の発声練習具もカバーや突出体が口腔内から前方に突出するものであるため、上記トレーニングを例えば、机上での勉強や読書並びに新聞を読むとき、及び散歩やジョギング並びにスポーツ等の各種身体運動或は台所や掃除等任意な日常作業を行ないながら使用するとき、口前方に突出する突出部分が視界内に入ることから邪魔になると共に、顎の動きに伴い噛挟み位置がずれる欠点がある。特に特許文献１の滑舌棒は、前唇側を常に開けた状態で延出部を前方に突出させた姿になるので、唇と舌の上下運動を融合させた滑舌（発声）トレーニングが困難であること、及び呼吸法をする上での不具合や笑顔に大きく係わる口角筋や口輪筋等の表情筋が鍛えられ難いこと、並びに口角部への刺激付与も弱くトレーニング意識を持続させ難いものであるため、笑顔習慣の躾を行うには不向きになる等の問題がある。
【０００９】
一方、非特許文献１で紹介されている滑舌棒は真直であり、口に横向き（左右方向）に銜え噛み部を噛挟みしながらその両外側の外側非噛み部を口奥側の口角部から一部突出させて使用するため、滑舌棒の外側非噛み部の外周面を口角部の口角後縁内に口縁接触軸部として接触させた状態で、唇を閉じること及び発声をすることが可能であり、口角部の接触を介し顔筋に適切な接触刺激を付与し口輪筋を柔らかくするように鍛えることができるため、笑顔に有効な顔筋トレーニングになること、及び各種の呼吸法も併せて行うことができる等の利点がある。
【００１０】
然しながら、単に円柱状の木製棒や箸等のストレートな滑舌棒は、単に口に銜えたまま発声及び唇等の運動をするものであるため、運動に伴い適正な噛挟み位置から前側にずれ移動し口角部から離れて口角部との接触感覚を失うものであると共に、この位置での滑舌練習は不十分になる等の欠点を生ずる。つまり、真直な在来型滑舌棒は口に銜え口角部に接当させたとき、上下の歯列の奥歯側で噛挟みされる左右の噛み部の間に位置する内側非噛み部が、口の奥側でちょうど舌の付根部の上面側（以下単に舌の基部側と言う）に位置して、舌の基部側表面に押接状態で接触し舌の上下方向の動きを規制するため、長時間の発声トレーニングを継続し難くする欠点がある。その結果、口角接触刺激を失い笑顔や顔筋トレーニング効果が低減すること、及び舌の上下運動が棒によって規制され顎の上下運動が抑制されること、並びにトレーニングを中断して前側に位置ずれする滑舌棒の適正位置への復帰修正のための噛み直し移動操作を頻繁に必要とするため、長い時間にわたる滑舌棒の使用に煩雑さを伴い困難にする等の欠点、並びにトレーニングに飽きを伴い易い等の課題がある。
【００１１】
さらに、トレーニングを一時的に休止したのち再開する場合に、使用者は唾液で濡れた滑舌棒を一旦床面に置いたのち再び口に銜えることになるため、床面と接触して汚れて不潔になった噛み部の清掃が必要で、速やかに再使用できずにその煩雑さや面倒感によりトレーニングを中断し継続し難くする等の問題もある。また他の作業（読書、運動、仕事等）時間を利用してトレーニングをしたいとき、上記真直な滑舌棒の構造と使用態様のみでは、噛み位置が前側にずれて不安定な違和感を伴うことと、口角部の外皮部等に対する適正な接触刺激を継続付与しなくなるものであることから、笑顔と滑舌を重視する顔筋トレーニング用としても不十分になる等の課題がある。
そこで本発明は、手軽且つ衛生的に利便性を有して使用することができると共に、口角部に対する接触刺激（笑顔信号）を確実に付与でき笑顔意識や発声等を向上促進する顔接触部材として、表情筋等のトレーニングを楽に継続させることができる顔筋トレーニング具を提供することを目的とする。
【課題を解決するための手段】
【００１２】
上記課題を解決するため本発明の顔筋トレーニング具は、第１に、頭部又は顔部に着脱自在に装着するための装着部材１０と、この装着部材１０を頭部又は顔部に装着したとき、口角部の外側又は内側又は口角部の唇奥側の口縁となる口角後縁等に接触する口角接触具７とから構成してなることを特徴としている。
【００１３】
第２に、前記口角接触具７を、口角部の外側から接触させる口外接触片７ａ又は口角部の内側から接触させる口内接触片７ｂとなして形成すると共に、口角接触具７に奥歯で噛挟みをする噛み部２ａを有する噛み本体２を設けることを特徴としている。
【００１４】
第３に、前記口角接触具７又は噛み本体２を、装着部材１０の左右で口角部に向けて設けたつる部１０ｂに、一体的又は着脱自在に設けることを特徴としている。
【００１５】
第４に、前記口角接触具７を、口角部の外側から接触させる口外接触片７ａと口角部の内側から接触させる口内接触片７ｂと、両者の間で口角後縁に接触させる口縁接触軸部７ｃとによって形成することを特徴としている。
【００１６】
第５に、前記口角接触具７又は噛み本体２を、装着部材１０に取付手段９を介して取付軸心周りに回動自在に設けることを特徴としている。
【００１７】
第６に、前記口角接触具７又は噛み本体２又は装着部材１０に、口内接触片７ｂ又は噛み本体２の唾液で濡れる噛挟み部と床面Ａとの接触を防止する枕部３，（８ｍ）を設けることを特徴としている。
【００１８】
第７に、前記装着部材１０を、鼻の前方又は頭の上方或は後方又は顎の前方或は下方を横断させる横連結部材１０ｃと、該横連結部材１０ｃの両端部に取付けられて口角接触具７を着脱自在に取付ける取付手段９によって構成することを特徴としている。
【００１９】
第８に、前記装着部材１０にメガネフレーム部４５を設け、該メガネフレーム部４５に速読トレーニング又はアイトレーニング又は発声トレーニング等を助成するトレーニング助成手段を設けることを特徴としている。
【００２０】
第９に、前記装着部材１０を、顔に着脱自在に装着されるマスク１０又は粘着性を有するテープ又はシート等からなる被膜部材とし、該被膜部材に口角接触具７を取付けることを特徴としている。
【００２１】
第１０に、前記装着部材１０又は口角接触具７又は噛み本体２に、顔筋や発声トレーニングを音声によって助成する音声機器、又は顔筋に電気的又は動力的な刺激を付与する顔筋刺激付与手段、又は顔筋に動力的な振動負荷を付与する顔筋運動手段４０、又は有益香を発生する芳香手段、又は治療機器等の補助機器６等からなるトレーニング助成手段を設けることを特徴としている。
【発明の効果】
【００２２】
請求項１の発明によれば、頭部又は顔部に着脱自在に装着するための装着部材と、この装着部材を頭部又は顔部に装着したとき、口角部の外側又は内側又は口角部の唇奥側の口縁となる口角後縁等に接触する口角接触具とから構成してなることにより、装着部材によって口角接触具を口角部に適正に保持させることができるので、口角部に接触刺激を確実に付与して顔筋トレーニング及び発声トレーニング等を持続し易くすることができる。また使用者は口角部に付与される接触刺激により、口角を上げる笑顔意識を持続できると共に、上記トレーニングを楽に持続することができるため、笑顔活性並びに滑舌活性等を促進し生活改善に繋ぐことができる。
【００２３】
請求項２の発明によれば、前記口角接触具を、口角部の外側から接触させる口外接触片又は口角部の内側から接触させる口内接触片となして形成すると共に、口角接触具に奥歯で噛挟みをする噛み部を有する噛み本体を設けることにより、口角接触具による顔筋トレーニングに合わせて、噛み本体を使用した発声トレーニングを簡単且つ効率よく行うことができると共に、両トレーニングの相乗効果を高めることができる。またトレーニング後に使用者は、口角部への接触刺激により接触残感覚の余韻を強く伴うため、すっきりとした気持ちのよい爽快感と満足感を持続しながら、トレーニングの継続に飽きを生じ難くすることができる。
【００２４】
請求項３の発明によれば、前記口角接触具又は噛み本体を、装着部材の左右で口角部に向けて設けたつる部に、一体的又は着脱自在に設けることにより、頭部に安定的に装着される装着部材からつる部を介して、口角接触具又は噛み本体を口角部に適正接触姿勢を有して安定的に保持することができるので、各種トレーニングを行い易くすると共に、口角接触具又は噛み本体の位置ずれを防止して長い時間にわたり効率よくトレーニングをすることができる。またメガネつる部態様の装着部材を備える顔筋トレーニング具は、メガネ製造のつる技術を利用して大量生産を図ることを可能にするので、メガネ類用途にのみ限定され易い在来のメガネ技術産業分野に、美と健康と人材育成文化の創成に係わる、新規な顔筋トレーニング用つる利用技術の付加構築を容易となし、メガネ産業に新規事業分野産業の創出を可能にする等の特徴もある。
【００２５】
請求項４の発明によれば、前記口角接触具を、口角部の外側から接触させる口外接触片と口角部の内側から接触させる口内接触片と、両者の間で口角後縁に接触させる口縁接触軸部とによって形成することにより、口角部に対し口外接触片と口内接触片と口縁接触軸部による多様な接触刺激を付与するため、顔筋トレーニングを効果的に行うことができる。また口角部に対し口角接触具を離脱し難く装着することができるので、簡単な装着部材によっても接触保持を確実にすることができる。これにより口角接触具を装着部材に片持ち状態で支持した使用を可能にすることができ、簡潔で軽量な構造及び取扱いの簡便な顔筋トレーニング具を創出する等の利点もある。
【００２６】
請求項５の発明によれば、前記口角接触具又は噛み本体を、装着部材に取付手段を介して取付軸心周りに回動自在に設けることにより、装着部材によって支持される口角接触具又は噛み本体を、取付手段９を介して顔や口の形状並びに顎の運動に応じて無理なく接当させることができる。
【００２７】
請求項６の発明によれば、前記口角接触具又は噛み本体又は装着部材に、口内接触片又は噛み本体の唾液で濡れる噛挟み部と床面との接触を防止する枕部を設けることにより、顔筋トレーニング具を床面に仮置きするとき、枕部が床面に接当して口角接触具や噛み本体の唾液で濡れた噛挟み部を床面から離間させるため、従来の滑舌棒のように唾液で濡れた部分を床面との接触によって汚すことなく、衛生的に使用することができトレーニングを行い易くすることができる。
【００２８】
請求項７の発明によれば、前記装着部材を、鼻の前方又は頭の上方或は後方又は顎の前方或は下方を横断させる横連結部材と、該横連結部材の両端部に取付けられて口角接触具を着脱自在に取付ける取付手段によって構成することにより、顔筋トレーニング具は取扱い易い簡潔な構造によって、左右の口角部に口角接触具を両外側から挟持状に接当させるだけで簡単に使用することができる。また横連結部材に対し口角接触具の交換や着脱を容易にすることができる。
【００２９】
請求項８の発明によれば、前記装着部材にメガネフレーム部を設け、該メガネフレーム部に速読トレーニング又はアイトレーニング又は発声トレーニングを助成するトレーニング助成手段を設けることにより、口角接触具等を利用して行う顔筋トレーニングや発声トレーニングを、トレーニング助成手段からの情報によってトレーニング効果を向上し易くすることができる。
【００３０】
請求項９の発明によれば、前記装着部材を、顔に着脱自在に装着されるマスク又は粘着性を有するテープ又はシート等からなる被膜部材とし、該被膜部材に口角接触具を取付けることにより、装着使用される被膜部材は、口角部に口角接触具を押接し接触刺激を確実に付与する顔筋や発声等のトレーニングを容易に促進する。また装着部材をマスクにした顔筋トレーニング具は、口角接触具を確実に接触保持しながら口元を覆い隠すことができるため、各種のトレーニング姿を人目や場所や時間等を気にすることなく、随時何処でも行い易くすることができる。
【００３１】
請求項１０の発明によれば、前記装着部材又は口角接触具又は噛み本体に、顔筋や発声トレーニングを音声によって助成する音声機器、又は顔筋に電気的又は動力的な刺激を付与する顔筋刺激付与手段、又は顔筋に動力的な振動負荷を付与する顔筋運動手段、又は有益香を発生する芳香手段、又は治療機器等の補助機器等からなるトレーニング助成手段を設けることにより、顔筋や発声トレーニング等の目的効果と同時に、トレーニング助成手段による目的効果を融合的に得ることができる。そして顔筋トレーニング具や噛挟み具の各種併進使用、及び顔筋や発声トレーニング等を継続し易くすることができる。
【図面の簡単な説明】
【００３２】
【図１】本発明に係る顔筋トレーニング具を示す全体側面図である。
【図２】図１の顔筋トレーニング具に装着される噛挟み具を示し、（ａ）は噛挟み具の全体構成を示す一部破断正面図、（ｂ）は（ａ）のａーａ線断面図、（ｃ）は（ａ）のｂーｂ線断面図、（ｄ）は（ａ）のｃーｃ線位置における顔接触部を示す側面図である。
【図３】噛挟み具の他の実施形態に係る全体構成を一部破断をして示す正面図である。
【図４】噛挟み具の他の実施形態に係る全体構成を示す正断面図である。
【図５】噛挟み具に口角接触具を設けて使用する別使用態様を示す正面図である。
【図６】本発明の他の実施形態に係る顔筋トレーニング具を示す斜視図である。
【図７】図６の使用態様を示す側断面図である。
【図８】本発明の他の実施形態に係る顔筋トレーニング具を示す斜視図である。
【図９】本発明の他の実施形態に係る顔筋トレーニング具を示す斜視図である。
【図１０】本発明の他の実施形態に係る顔筋トレーニング具を示す斜視図である。
【図１１】図１０の顔筋トレーニング具に取付けられる他機能メガネを示し、（ａ）は全体斜視図、（ｂ）は（ａ）の側断面図である。
【図１２】本発明の他の実施形態に係る顔筋トレーニング具を示す斜視図である。
【図１３】図１２の顔筋トレーニング具に取付け自在な口角接触具と取付手段を示し、（ａ）は平断面図、（ｂ）は他の実施形態を示す平断面図である。
【図１４】本発明の他の実施形態に係る顔筋トレーニング具を示す斜視図である。
【図１５】図１４の顔筋トレーニング具に取付け自在な口角接触具と取付手段を示し、（ａ）は側面図、（ｂ）は（ａ）の平断面図である。
【図１６】口角接触具の他の実施形態を示し、（ａ）は側面図、（ｂ）は平断面図である。
【図１７】口角接触具の他の実施形態を示し、（ａ）は正面斜視図、（ｂ）は左右の口角接触具を口角部に装着した使用状態を示す平面図である。
【図１８】本発明の他の実施形態に係る顔筋トレーニング具を示す平面図である。
【図１９】本発明の他の実施形態に係る顔筋トレーニング具を示す平面図である。
【図２０】本発明の他の実施形態に係る顔筋トレーニング具を示す斜視図である。
【図２１】本発明の他の実施形態に係る顔筋トレーニング具を示す斜視図である。
【図２２】本発明の他の実施形態に係る顔筋トレーニング具を示す側面図である。
【図２３】本発明の他の実施形態に係る顔筋トレーニング具を示し、（ａ）は斜視図、（ｂ）は噛挟み具の取付構造を示す断面図、（ｃ）は他の取付構造を示す断面図である。
【発明を実施するための形態】
【００３３】
以下図面に基づいて本発明に係る顔筋トレーニング具１の各実施の形態について説明する。図１及び図２に示す第１実施形態の顔筋トレーニング具１は、口に横向きに銜えた状態で上下左右の奥歯側で噛挟みをする噛み部２ａと、該噛み部２ａの外側に位置して口角部の後縁（以下単に口角後縁と言う）に接触する口角後縁接触部としての外側非噛み部２ｓを有する棒状の噛み本体２とからなる噛挟み具（滑舌棒）１ａと、顔部又は頭部に着脱自在に装着した状態で、噛挟み具１ａの噛み本体２を口に噛挟み姿勢、即ち、上記左右の外側非噛み部２ｓを後述するように口角後縁に接触状態で保持させるつる本体８等からなる取付手段９を有する装着部材１０とから構成している。
【００３４】
先ず、図１，図２を参照し噛挟み具１ａについて説明する。この噛挟み具１ａの噛み本体２は、左右の噛み部２ａと外側非噛み部２ｓ及び左右の噛み部２ａを接続する内側非噛み部２ｂとを一連の平板棒状によって構成している。そして、左右の外側非噛み部２ｓの外側寄りに噛み部２ａより大径（肉厚）な外周面の接地部（接地面）３ａを有する枕部３を備えている。これにより噛挟み具１ａは、噛挟みを解除した非使用時に顔から外して床面Ａに置いたとき、枕部３を接地させて噛み部２ａを床面Ａから離間させるようにしている。尚、上記噛み本体２及び枕部３は、合成樹脂材、金属、木竹材等の素材によって所望に製作することができる。
【００３５】
図示例の噛み本体２は、弾性力を有して上下方向に撓むことができる平板状部材（平板棒）としており、噛み部２ａの厚さ（高さ）を３〜５ミリ程度、前後方向の幅を７〜１５ミリ程度、左右の全長を１３０〜２００ミリ程度にしている。また噛み部２ａの表面には図示しない目盛を付設している。枕部３は、側面視で６角形状の異形断面とし外周に床面Ａと平面的に接触して転動を規制する接地部３ａを形成し、対向する接地部３ａ間の厚さ（直径）を１０〜２５ミリ程度にしている。実施形態の枕部３は、接地部３ａから内向きに集束する円形又は楕円形又は６角形状の断面を有する厚噛み部２ｃを一体的に形成しており、その略中心部に噛み本体２と同じ断面形状の取付孔３ｂを形成している。
【００３６】
これにより噛挟み具１ａは、噛み本体２に対し左右で対をなす枕部３を厚噛み部２ｃを内向きにし、取付孔３ｂを介して両端からスライド自在に挿入することにより簡単に構成することができる。また厚噛み部２ｃは、内向きに集束する集束端の正面視での厚さは５〜７ミリ程度とし、且つ平面視での厚さ（前後方向の幅）は７〜２０ミリ程度にすることが望ましい。尚、枕部３及び厚噛み部２ｃは、噛み本体２の両側に対しネジ嵌合させる螺合手段によって、着脱及び左右移動自在に取付けてもよい。また枕部３は反転させた状態で噛み本体２に取付けると、その経大な端面を口角部に外側から側面的に接触させる口外接触片（７ａ）にすることもできる。
【００３７】
上記のように構成した噛挟み具１ａは、噛み本体２の両側に厚噛み部２ｃを有する枕部３を左右方向（長手方向）に移動（スライド）調節自在に取付けているため、図２（ａ）に示すように、左右の枕部３を噛み本体２の両端側に位置させたとき、２点鎖線で示す上下の歯列Ｂの奥歯によって噛み本体２の最薄の噛み部２ａを銜えて噛挟みをすることができる。また図２（ａ）に２点鎖線で示すように、左右の枕部３を噛み本体２の内側所定位置にしたとき、上下の歯列Ｂの左右の奥歯によって枕部３側の厚噛み部２ｃの所望位置を銜えて等しく噛挟みをすることができる。
【００３８】
即ち、この噛挟み具１ａは、最薄厚の噛み本体２を銜えた薄厚噛み姿勢によるトレーニング（以下薄噛みトレーニングと言う）と、厚噛み部２ｃの正面視での厚さを銜えた厚噛み姿勢によるトレーニング（以下厚噛みトレーニングと言う）とを、自在に選択して行うことができる。従って、この噛挟み具１ａは、左右の厚噛み部２ｃの位置を選択するだけで、大人から子供等の大きさの異なる口に適応させた薄噛みと厚噛みを簡単に選択することができる。
【００３９】
また噛挟み具１ａは、噛み本体２の厚さを３〜５ミリ程度にし、枕部３と一体の噛み部２ａの正面視での厚さを、７ミリ程度から２０ミリ程度に向けて順次径大となる楕円形状斜面で形成する場合に、使用者は３〜７ミリ程度の噛厚による薄噛みトレーニングと、厚噛み部２ｃをさらに内側移動させて１０〜２０ミリ程度の厚噛みトレーニングを簡単に行うことができる。
【００４０】
さらに、この噛挟み具１ａは噛み本体２の噛挟み姿勢を９０度回した縦向き姿勢にすることにより、噛み部２ａ及び厚噛み部２ｃの正面視での厚さより大きい平面視での厚さ（前後方向の幅）を、図２（ｂ）に矢印で示す方向に銜えて噛挟みすることができ、より大きな厚噛みトレーニングを容易に行なうことができる。つまり、従来のもののように噛厚の異なる複数の滑舌棒を準備することなく、一つの噛み本体２を９０度切換回転させることにより、多様な発声トレーニングを適正に行なうことができる。この場合には、噛み本体２は装着部材１０に対し切換回転自在な構造によって設けることが望ましい。
【００４１】
また図示する顔筋トレーニング具１は、笑顔や発声トレーニング時の使用を助成するトレーニング助成手段としての、各種の補助機器６を付設する付設手段並びに各種備品を設けることができ、笑顔や発声トレーニング等をより効果的に行なうようにしている。即ち、この顔筋トレーニング具１は、上記補助機器６或いは各種備品を設けることができる収納穴６ａを、枕部３の本体内に一側から内奥に向けて形成している。上記補助機器６は、笑顔や発声トレーニングを音声によって案内する音声発生機器及びトレーニング記録をする録音器、スマホやパソコン等との通信手段、並びに噛み本体２や口角接触具７に振動或は超音波を生じさせて顔筋に電気的又は動力的な刺激を付与する顔筋刺激付与手段としての振動発生器、或いは有益香を発生する芳香手段等であることが望ましい。
【００４２】
尚、上記音声発生機器等の補助機器６はバッテリ及びその作動スイッチ等の必要作動手段を備えている。また有益香は、治療や免疫性を高めるほかリフレッシュ性に効果のある芳香剤であることが望ましく、この芳香剤は枕部３の本体内のほか、必要により噛み本体２や厚噛み部２ｃ並びに口角接触具７や装着部材１０に適宜構成によって設置することができ、また外部に設置される図示しない供給装置から供給することができる。
【００４３】
さらに、噛挟み具１ａとしての噛み本体２は、口に銜えた使用時に顔の口角や頬等に接触させる顔接触部材としての口角接触具７を、着脱及び取付け位置調節自在に設けている。図示する口角接触具７は口角部に接触刺激を付与しながら、笑顔や顔表情を司る表情筋等の顔筋トレーニングを発声トレーニングと併行して行うことができる。
即ち、図２（ａ），（ｄ）に示す実施形態の口角接触具７は、弾性力を有する板状の本体部を外側から口角部の外皮部Ｃに面的又は点的に接触させる口外接触片７ａとし、その本体部に形成した取付孔７ｔを介し厚噛み部２ｃ或いは噛み部２ａに左右移動自在に挿入して外皮部Ｃに接当自在に構成にしている。
【００４４】
これにより口角接触具７は、左右の枕部３の厚噛み部２ｃに挿入した状態で噛み本体２の両側に配置することができ、且つここから左右の枕部３を内側に移動させるか、口角接触具７を直接的に移動することにより、口角接触具７を２点鎖線で示すように口角部や周囲の外皮部Ｃに接当調節することができる。尚、図示例の枕部３は反転させて設けることができ、該枕部３の端部を口外接触片７ａとして利用し外皮部Ｃに接触させることもできる。
【００４５】
また口角接触具７としての口外接触片７ａは、本体部の外周に図２（ｄ）に実線で示す円弧状面や２点鎖線で示す凹凸面にすることができる。さらに口外接触片７ａは上方に向けて２点鎖線で示すように大きく伸ばすことにより、その先端部を鼻の両側やほうれい線に接当させることができる。これにより口角接触具７は、外皮部Ｃの接当部に接触刺激や押圧刺激を付与するので、使用者はその刺激により口角を上げる意識や呼吸法を行う意識を持続することができ、口角を上げる顔筋が自ずと鼻腔を広げて深い鼻呼吸を促進するため口呼吸習慣の改善をすることができる。従って、笑顔習慣の促進や口元の皺の解消等も期待しつつ楽しみながら使用することができる。そして、この口角接触具７は、発声をしないときでも口角等の外皮部Ｃに接触して接触刺激を付与させることができるため、使用者は顔筋トレーニング具１を単に装着するだけでも、笑顔を意識する笑顔トレーニングや接触刺激による顔筋トレーニング等を単独的に行うこともできる。
【００４６】
以上のように構成される噛挟み具１ａは、噛み本体２を口に銜えて支持した使用を行うことができる一方、顔部又は頭部に着脱自在に装着可能な装着手段として後述する各種形態の装着部材１０によって、適正トレーニング姿勢に銜えて支持する顔筋トレーニング具１として使用をすることができる。即ち、図１，図２（ａ）に第１実施形態として示す顔筋トレーニング具１の装着部材１０は、メガネのつると同様な製造手段によって意匠性を有して製作される板状断面のつる本体８の前部に、取付手段９を備える支持部８ａを略水平状に形成すると共に、該支持部８ａから後上り傾斜のつる部８ｂを形成している。そして、つる部８ｂには、後部に耳掛け部となるフック部８ｃや紐や保管用の係合部材を通すことができる通し孔８ｄを設けることができる。
【００４７】
上記フック部８ｃは、つる本体８の下面を凹入させて前後方向に複数設けることが望ましく、この場合には前方のフック部８ｃを顔の小さい子供等が選択して使用することができる。尚、フック部８ｃは、上記構成に限定することなくつる部８ｂに対し前後方向にスライド調節自在な構造にしてもよく、またフック部８ｃを前後方向に屈曲自在構造によって調節してもよい。また装着部材１０は、つる本体８に予め取付孔８ｆを設けておくことが望ましく、この場合には必要により左右外側方の視界を遮るカバー８ｅを取付孔８ｆに着脱自在に取付けるほか、図１１で後述するような他機能メガネ３５を設置自在にすることができる。
【００４８】
支持部８ａは、前方に延長させた部位に横連結部材１０ｃを設けて左右のつる本体８を連結することができ、平面視コ字状フレームとなる装着部材１０を構成する。また図示例の装着部材１０は、支持部８ａに枕部８ｍを設けることにより、非使用時に顔接触部材７の下部を床面Ａから離間させて衛生的な使用を行うようにしている。この枕部８ｍは、支持部８ａを下向きに広幅状に拡張形成するか、又は下向きに突出する突起を設けることにより簡単に構成することができ、前記枕部３と同様な作用効果を有している。また板状断面のつる本体８からなる装着部材１０は、使用者が広い板状面やカバー８ｅを利用して好みのイラストや接着装飾材による装飾を施し易くすることができ、意匠性を豊かにして顔筋トレーニング具１の愛用ツール化を図り易くする等の利点もある。
【００４９】
以上のように構成される顔筋トレーニング具１は、口角部に外側から接触させる口外接触片７ａ及び口角部の後縁（口角後縁）に口内から内面的に接触させる噛み本体２等の顔筋接当部材（後述する口縁接触軸部７ｃに相当する）を有する噛挟み具１ａを、つる本体８を介して顔に着脱自在に装着した装着状態で使用するため、恰もメガネを掛けるときと同様の手軽さでつる部８ｂをそれぞれ両耳に掛けて噛挟み具１ａを支持し、噛み本体２を銜えた状態で顔筋トレーニングと共に発声トレーニングを行い易くすることができる。従って、トレーニング時に使用者が噛み部２ａの噛挟みを緩くしたとしても、噛み本体２は装着部材１０によって口前側への移動が規制されるため、常に適正トレーニング姿勢に保持されることになる。
【００５０】
また顔筋トレーニング具１は、噛挟み具１ａを手で持つことなく装着部材１０を用い、口に銜えた適正位置において安定よく噛挟みをすることができるので、発声トレーニング及び笑顔トレーニング等を効率よく行うことができる。また噛挟み具１ａは装着部材１０から簡単に着脱することができるので、必要により各種の噛挟み具１ａの交換使用や、外した噛挟み具１ａの単独使用を随時能率よく行うことができる等の特徴がある。さらに、装着部材１０は支持部８ａに設ける弾性支持機構８ｓを介し、噛み本体２又は口角接触具７を少なくとも前後方向の少量移動を弾力によって許容自在に支持することができる。この場合に両者は装着使用状態における噛挟み運動の変化に応じた前後或は上下移動を、弾性支持機構８ｓの弾性に基づき少量又は微小に許容自在にするため、装着部材本体（つる部８ｂ等）のずれ移動を緩衝して抑制しながら、使用感を高めトレーニングをより行い易くする利点がある。
【００５１】
また実施形態の噛挟み具１ａは使用にあたり、肉薄の噛み本体２を銜えて行う薄噛みトレーニングと、肉厚の厚噛み部２ｃを銜えて行う厚噛みトレーニングとの両トレーニングを簡単に選択できるため、種々の発声を行う広範囲な発音トレーニング並びに、音声を発することなく口角を上げたり単に唇を動かしたりする表情筋トレーニング（以下単に顔筋トレーニングと言う）等の各種トレーニングを多様に行うことができる。尚、噛み本体２は、図６で後述するような舌動部５を２点鎖線で示すように簡単に形成することができる。
【００５２】
また使用において、上記薄噛みトレーニングでは、肉薄の噛み部２ａを奥歯で軽く噛み保持することができるので、顎及び唇に大きな負荷をかけることなく上下の唇を閉じ易くする薄噛み姿勢において、前歯と唇による薄噛み姿勢特有の発声トレーニング並びに会話トレーニングを長時間にわたり楽に行うことができると共に、顔を下向きにして新聞や本を読むとき、及び勉強時並びにパソコン等の使用時に好適に使用することができる。さらに、装着部材１０を使用するとき、ジョギングやダンス等の練習や各種運動時にも容易且つ長時間の使用を可能にすることができるため、運動と顔筋とを同時に行うトレーニング相乗効果を新規的に高めることができる。
【００５３】
また厚噛みトレーニングでは、在来の直径１０ミリ程度の丸棒状滑舌棒と同様に奥歯で噛んだ厚噛み姿勢特有の唇と呼吸法を主とする発声法により、前記したような種々のフレーズ等を繰返し声に出して唱える発声トレーニングを工夫して好適にすることができる。この場合には、唇や口角部を大きく動かす必要があることから、滑舌の活性と口角を上げて顔の表情に笑顔習慣をつけるトレーニング等をより促進することができる。
【００５４】
即ち、上記のように多様なトレーニングをすることができる噛挟み具１ａは、装着部材１０を用いて噛み本体２の噛挟み姿勢を適正に保持することができるので、勉強や運動時はもとより入浴やトイレ時にも、また自動車等の運転時にも好適に使用することができる。特に、薄噛みトレーニングから厚噛みトレーニングに切換えて使用するとき、大きく口を開け閉めする噛み刺激や口角を上げる刺激を大きくするため、勉強や運転時の眠気防止も効果的に行うことができる。
【００５５】
さらに、噛挟み具１ａは、噛み本体２の側端に枕部３を設けていることにより、１つの噛挟み具１ａを用いながら長時間にわたり衛生的に使用することができる。つまり、この噛挟み具１ａは、非使用時はもとよりトレーニングを一時的に中断し口から取出したとき、使用場所近隣の床面Ａに無作為的に置く（仮置き）ことができる。この場合に噛挟み具１ａは、左右の枕部３が床面Ａに接当して噛み部２ａ，２ｃを床面Ａから離間させるため、従来の滑舌棒のように唾液で濡れた噛み部を床面Ａとの接触によって汚すことなく仮置きできる。
【００５６】
そして、短時間のトレーニング中断のために噛み本体２を洗浄したり別の滑舌棒と取り替える必要がなく、清潔が保持されている噛挟み具１ａを、枕部３を摘まんでそのまま銜えて速やかにトレーニングを再開し継続することができる。また噛み本体２を口奥に強く押圧して行なう発声トレーニングや笑顔トレーニングを、枕部３或はつる本体８を持って安定的に姿勢保持し易くすることができる等の特徴がある。一方、異形断面によって形成される接地部３ａを有する枕部３は、接地部３ａが床面Ａに安定的に接触して転動を規制するので、装着部材１０から外した噛挟み具１ａが、床面Ａを転がって落下する等の事態を防止し衛生的な使用を助成する。一方、装着部材１０に設けられる枕部８ｍは、支持部８ａに後述するように取付けられる各種形態の顔接触部材７も床面Ａとの接地接触を防止すると共に、上記形態の枕部３を有しない噛み本体２を装着した場合でも床面Ａとの接触を防止することができる。従って、上記顔筋トレーニング具１は、誰でも何処でも衛生的に使用し易く且つ使用機能を融合させたデザインを可能にするので、飽きをこさせ難い効果的なトレーニング使用を促進する等の特徴がある。
【００５７】
次に、図３〜図２１を参照し本発明に係る他の各種実施形態について説明する。尚、上記第１実施形態のものと同様な構成及び作用については同一符号を付し説明を省略する。先ず、図３〜図５を参照し各種態様によって顔筋トレーニング用としても使用できる噛挟み具１ａの他の実施形態について説明する。図３に示す噛挟み具１ａは、噛み本体２に対し左右でそれぞれ対をなす厚噛み部２ｃと口角接触具７と枕部３とを着脱及び左右移動自在に設けている。この口角接触具７は、外側から口角部に接触させる口外接触片７ａと、内側から接触させる口内接触片７ｂと、口角部の唇奥側の口縁（口角後縁）に接触させる口縁接触軸部７ｃとを一体的に形成し、その本体部に噛み本体２を挿入自在な取付孔７ｔを設けた構成にしている。
【００５８】
これにより噛挟み具１ａは、実線位置において奥歯で厚噛み部２ｃを噛挟みすることができ、隣接する口角接触具７は、口内接触片７ｂを口内に差入れた状態で口外接触片７ａを口角頬部等の外皮部Ｃに接当させ、口外接触片７ａと口内接触片７ｂとの間で口角後縁を挟持状態にしながら、口縁接触軸部７ｃが口角後縁に内接した接触支持状態になり、口内接触片７ｂを口角部の内皮部に接触させる。尚、口角接触具７は、口外接触片７ａを大径とし口内接触片７ｂを小径にして口縁接触軸部７ｃから突出形成することが望ましく、この場合には両者間で形成される谷状部を深くしながら、口角接触具７の口角部への挿入装着と位置決めを容易確実にして、より好適に使用し易くすることができる。
【００５９】
即ち、図示例の口角接触具７は、口内に挿入された口内接触片７ｂが、口内から口角部を後方及び上方側に向けて押接付勢するため、口角部や頬を内側から外側に向けて揉み解すように使用でき、口角を広げ上げる笑顔トレーニング効果を確実にする。このとき口を開け閉めする動作（口運動）を加えることも容易になり、口角筋や口輪筋等の口筋を柔らかくするように鍛える顔筋トレーニングも効果的に併進することができる。また口内側からの強い接触刺激により使用後にも、笑顔感覚意識を長く持続させるトレーニング残感効果（余韻）を向上させることができる。また口角接触具７は反転させて使用することができるため、外皮部Ｃに大径の口外接触片７ａの全面を接当させた使用を簡単に行うことができる。
【００６０】
そして、厚噛み部２ｃと口角接触具７とは、いずれも噛み本体２に移動自在に設けているので、使用者の口の大きさやトレーニング目的に適応したトレーニングを自由にすることができる。また枕部３も弾性力を有する合成樹脂製リングにすることが望ましく、この場合には枕部３を噛み本体２から簡単に外すことができ、次いで口角接触具７及び厚噛み部２ｃも容易に外すことができるので、各部品の洗浄や異なる大きさや形状の部品交換等のメンテナンス作業や各部品製造を行い易くすることができる。
また口角接触具７や厚噛み部２ｃの反転挿入使用や、顔の大きさ及びトレーニング目的に対応したものの使用を容易且つ自由にして、所望のトレーニングを広範囲に行うことを可能にする等の特徴がある。尚、上記枕部３を外した噛み本体２は、口角接触具７の口外接触片７ａを径大とし下部を床面Ａに接地させる枕部８ｍとなるように形成している。これにより仮置き時の噛み本体２は、枕部８ｍが床面Ａに接当して唾液で濡れる口内接触片７ｂや噛み部２ａを離間させ、枕部３と同様に唾液で濡れた部分を汚すことなく衛生的な使用をすることができる。
【００６１】
さらに、噛み本体２には、その中央部に２点鎖線で示すように、薄板状の唇挟み部材２ｋを着脱又は一体的に取付けた状態で、前部を上下の唇によって唇挟み可能位置に延設している。この噛挟み具１ａによれば、噛み本体２の厚噛み部を奥歯で噛んだ状態で唇で唇挟み部材２ｋの前部を強弱自在に挟みながら発声や呼吸をするトレーニングを同時に行なうことができるため、トレーニング時に口や唇の形を整えることに意識を集中させた発声トレーニングと、口筋（口輪筋等）も鍛えて滑舌及び口元の締り並びに笑顔や呼吸法等の改善促進を効果的に行うことができる。また唇挟み部材２ｋは、薄い平板或いは波板にすることができるほか、ビードや笛等の吹鳴構造を備えた構成にすることができる。従って、この場合には息によって生ずる音声を聞きながら、上記トレーニングをより楽しく効果的に行うことができると共に、唇挟み部材２ｋを唇で挟んで行なう新規なトレーニングと、種々の呼吸法を目的としたトレーニングを楽しく試しながら行うことを可能にする。
【００６２】
次に、図４に示す噛挟み具１ａについて説明する。この噛挟み具１ａは、噛み本体２を弾性力及び可撓性を有する略円形状断面の合成樹脂製パイプにすることにより、噛挟みをするとき噛み本体２は弾性力に抗して変形しながら歯への噛み衝撃を緩衝するようにしている。また噛み本体２より大径に形成される枕部３は、噛み本体２内に左右方向にスライド移動自在に挿入されて噛厚を調節する噛厚調節部材１６を支持杆１７を介して突設している。噛厚調節部材１６は、基部側から先端部に向けて集束する錐形斜面で形成している。
【００６３】
上記のように構成される噛挟み具１ａは、枕部３を左右に押し引き操作し噛厚調節部材１６を実線位置にするとき、噛み本体２は噛み圧によって弾性力に抗し錐形斜面で規制される２点鎖線で示す噛み姿勢まで変形して薄厚になるため、薄噛みトレーニングをすることができる。また噛厚調節部材１６を上記実線位置から内側に移動させると、噛み本体２の変形を少なくして厚噛みトレーニングをすることができる。従って、この噛挟み具１ａは、１つの噛み本体２を大径な厚噛み状態と小径な薄噛み状態とに切換自在にすることができるので、子供から大人の口の大きさに対応した使用、並びに薄噛みトレーニングと厚噛みトレーニングを簡単に行うことができる。また噛み本体２は、シリコーン系の柔かい素材によって形成することが望ましく、この場合には噛み本体２を何度か軽く噛むことによって顎を鍛えるチューイングトレーニングも行い易くすることができる。
【００６４】
また噛み本体２は図４に２点鎖線で示すように、本体表面に左右の奥歯による噛み幅を有した位置に突起状の厚噛み部２ｃを一体的に突設してもよいものである。この場合には、噛み本体２の噛み部２ａを噛挟みする薄噛みトレーニング姿勢から、噛み本体２を左右方向に単に移動させるだけで上記左右の厚噛み部２ｃを噛挟みする厚噛みトレーニング姿勢にすることができるので、両トレーニングの繰返しを左右移動によって簡単に行うことができる。またストレートな噛み本体２に対し厚噛み部２ｃを突起状に設ける噛挟み具１ａは、構造をシンプルにして取扱い性及び製作を容易にすることができる。
【００６５】
図５に示す噛挟み具１ａは、前記図４のものと同様な噛み本体２と噛厚調節部材１６を備え、該噛み本体２の両側に筒状の支持部材１８を左右移動自在に嵌挿し、該支持部材１８に図３で示した態様の口角接触具７をスライド及び反転挿入自在にしている。図示例の口角接触具７は、口縁接触軸部７ｃの両側に所定間隔を有して大径状の口外接触片７ａと小径状の口内接触片７ｂとからなり、実線姿勢から反転させた姿勢に切換え自在に挿入することができる。これにより噛挟み具１ａは、口外接触片７ａと口内接触片７ｂとを、大人から子供等の顔の大きさに対応して、外皮部Ｃの適正接当位置に接触させることができる。
【００６６】
そして、口角接触具７は実線状態から反転させた使用態様にすると、内側になる口内接触片７ｂと外側になる口外接触片７ａとの間に、上下の奥歯を差し入れて噛むことが可能になり、噛みトレーニングに併せて口内刺激を付与する新規トレーニングを可能にすることができる。つまりこの場合には、口内接触片７ｂを歯茎の内側に接当させると共に、口外接触片７ａを歯茎の外側と頬内面に接当させることを可能にするため、歯茎等に対する新たな接当刺激を付与することができ、また接当による噛挟み具１ａの位置決めを確実にして口前側への移動を規制することができる等の特徴がある。
【００６７】
さらに、図示例の噛挟み具１ａは、噛み本体２をシリコーン系の柔らかいパイプ材で形成しており、その外径を動力的に変化させて薄噛みトレーニングと厚噛みトレーニングを強制且つ連続的に行うことができる実施形態を示している。即ち、この噛み本体２は両端を閉じたパイプ室内に支持杆１７側に形成した通気口１７ａからエアーを断続的に供給することにより、パイプ室内の気圧を高くしたとき噛み本体２を膨らませて径大な厚噛みトレーニング状態にすると共に、気圧を低くしたとき噛挟み力によって縮小させて径小にする薄噛みトレーニング状態にすることにより、顎を上下に強制的に動かす口の開閉運動を促進させるようにしている。
【００６８】
従って、この噛み本体２は、噛み力の向上や顎の運動を必要とする使用者にとって、単に銜えるだけで外力によって口運動を促進助成するので、そしゃく力や認知症の改善分野のツールとしても新規に好適化することができる。尚、噛み本体２内に供給するエアーは、図示しないエアー供給装置の制御によって、エアーパイプ１７ｂから支持杆１７を介して供給コントロールすることができる。また噛み本体２の直径（噛み径）を変動させる噛み径変動手段は、図示例に限定することなく例えば、噛厚調節部材１６を左右方向に往復運動させる往復動力機構、或は楕円形等の異形断面にした左右の噛厚調節部材１６を回転部材として軸回りに回転させる回転動力機構によって行うこともできる。
【００６９】
次に、図６，図７に示す顔筋トレーニング具１について説明する。この顔筋トレーニング具１は、装着部材１０の前記つる本体８に相当するつる部１０ｂと口角接触具７と噛挟み具１ａの噛み本体２とを一体的に構成した実施形態を示している。先ず、噛挟み具１ａを構成する噛み本体２は、その中央部（噛み部２ａの左右方向中間部位）に口内前方に向けて湾曲させた舌動部５を設けることにより、トレーニング時に舌Ｄを自由に動かすことができる空間部５ａを形成している。即ち、この噛み本体２は、左右の噛み部２ａを両者間に空間部５ａを形成する舌動部５で連結した本体形状にしている。
【００７０】
また図示例の噛み本体２は、軽量であること及び弾性力と剛性を備え且つ噛挟み時に口角部に痛み等の違和感を与えない好適軽量部材として、直径３〜５ミリ程度の針金或いは合成樹脂成形品等からなる線状部材によって構成している。尚、線状部材を弾性力及び可撓性を有する針金等にするとき、噛み本体２は湾曲形状の舌動部５及び他の要部を屈伸させることができるので、左右の噛み部２ａの間隔調節並びに装着調節等を使用者が自由に行うことができる。また装着部材１０の針金部分は、噛み部等の必要箇所を塗料等の被膜部材やパイプ材によって簡単に被覆することができる等の利点がある。この場合に、噛み部２ａ及び舌動部５は、食品や医療分野で使用されているシリコン製チューブやストローを挿入して被覆すると、その性質により曲げ加工や噛挟みの使用感覚を支障なく簡単に好適化することができる。
【００７１】
図示例の顔筋トレーニング具１は、噛み本体２の両側から延長させた線状部材を弦巻状に屈曲させることにより、噛み部２ａを床面Ａに接地させることのない枕部３を一連に形成して設け、且つ該枕部３を連結部（取付部）１０ａとしてメガネと略同形状の耳掛け部１０ｅを有するつる部１０ｂと一体形成した装着部材１０にしている。これにより顔筋トレーニング具１は、線状部材によって噛み本体２と枕部３と装着部材１０とを一連に備え、恰もメガネを掛けるときと同様の手軽さで顔に装着し、噛み本体２を銜えた状態で左右のつる部１０ｂをそれぞれ両耳に掛けて顔筋と発声トレーニングをすることができる。
【００７２】
従って、トレーニング時に使用者が噛み部２ａの噛挟みを緩くしても、噛み本体２は装着部材１０によって口前側への移動が規制されるため、顔の動きや口の動きに対して噛み部２ａの噛み位置及び口角部の接触位置を常に適正に保持される。さらに、舌動部５を有する噛み本体２は、装着部材１０を使用することなく単体で使用する場合でも、舌運動を左右の噛み部２ａ間で非噛み部になる舌動部５に支障されることなく、空間部５ａを利用して舌Ｄを上下左右に自由に動かすことができるため、次に記すような舌運動（滑舌）や発声トレーニングを行うことができると共に、噛み本体２を噛挟みしたままの会話も意志疎通可能にすることができる。
【００７３】
即ち、舌動部５は口内で、湾曲している前端側が前下歯や歯茎の内側へ近接又は接当するため、噛み本体２の前側移動が規制され且つ左右外側方の外側非噛み部２ｓを口縁接触軸部（７ｃ）として口角後縁を確実に押接すると共に、この状態で噛み部２ａを適正位置にして噛挟みすることになる。これにより噛み本体２は口角接触具（７）を兼ねて、口角部に強い接触刺激を付与しながら発声トレーニングと顔筋トレーニングを効率よく行うことができる。
従って、この顔筋トレーニング具１は、使用者が舌運動を自由にしながら上記各トレーニングを相乗的に併進することができ、適切な接触刺激によってトレーニング後に、口角部に対する接触残感覚（笑顔残感）の余韻を確実に持続させるため、すっきりとした気持ちのよい爽快感と満足感を伴い笑顔意識も継続し易くなる。また上記構成による噛み本体２は平面視において、左右の噛み部２ａの内端側は外側端より口奥側に向けて内向き傾斜に形成することが望ましく、この場合には内向き傾斜状になる噛み部２ａを、左右の奥歯によって点接触状に均等に噛挟みし易くする利点がある。
そして、噛み本体２は、舌動部５の基部側が噛み部２ａより後方に位置して前後方向の屈伸代を大きくするため、舌動部５の前端位置の調節及び左右幅の調節をより自由にして、口の大きさに対応しトレーニング中でも噛挟み姿勢を整えながら、各使用者が長期にわたる適正噛挟みを継続し易くすることができる等の特徴がある。
【００７４】
さらに、上記のように舌運動を行うことができる噛み本体２は、例えば医学的な知見から推奨されている、「舌先を上あごに吸い着けたのちに強く元に弾き返す舌の上下反発運動」を支障なく行うことができるので、舌筋や口筋を効果的に強化することができ、睡眠中の口呼吸の防止や唾液枯渇防止等の健康促進効果並びにリップトレーニングや滑舌改善トレーニング効果の向上を図ることができる。尚、上記推奨されている舌の上下反発運動は、近年特に顕著とされる口筋力の低下に伴う、睡眠時無呼吸症候群やドライマウス症候群による睡眠障害、及び免疫力低下等の弊害を、簡単且つ効果的に改善予防すると言われているものである。
【００７５】
また図示例の顔筋トレーニング具１は、つる部１０ｂの前方基部側を噛み部２ａの外側で外側非噛み部２ｓから連結部１０ａを介し内向きに屈曲させた口外接触片７ａを設けて口角部に側面的に接触せる口角接触具７を構成している。この口角接触具７は、平面視で前方側の内向き突出量を大きくしながら後方に向けて突出量を徐々に小さくした後退傾斜面にすることが望ましい。これにより使用者は口角部に口外接触片７ａによる強い押接接触を受けると共に、この状態で口や唇を動かすことによる外皮部Ｃの動きによって新たな接触刺激を受けるため、口角部を意識した顔筋トレーニングを効果的に行うことができる。
【００７６】
以上のように構成して使用される顔筋トレーニング具１は、顔への装着をメガネを使用する感覚で簡単に行うことができ、また連結部１０ａや装着部材１０を適宜に屈伸変形させることができるので、多様に異なる顔に対しての適正な装着調節を容易にすることができる。そして、顔筋トレーニング具１を顔から外したとき、連結部１０ａが枕部３となって噛み部２ａを接地させることなく床面Ａに置くことができるので、衛生的な使用を可能にする。またメガネのつると略同形状の装着部材１０を枕部３から一体的に構成するため、１本の針金部材によって簡単安価且つ軽量簡便で使用し易く製造できる等の特徴がある。尚、上記顔筋トレーニング具１は、図示例の形状に限ることなく、既存のメガネと同様なつる部の折畳み構造や意匠等を取り入れたデザインすることができる。
【００７７】
尚、図示例の顔筋トレーニング具１は、針金を曲げるだけで簡単且つ安価に製作することができるので、例えば小学校の工作教材としても使用し易く、この場合にはその計画立案や設計方法及び加工技術並びにデザイン感性等の習得向上に繋ぐことを容易にすることができる。さらに、この顔筋トレーニング具１と前記実施形態の噛挟み具１ａ等は、いずれも子供達が好みのものを簡単に製作することができると共に、勉強時はもとより例えば入浴時でも手軽に併行使用することができる。
【００７８】
従って、自身が製作したこの種作品によって、本発明に係るテーマ分野のトレーニングへの関心や習慣を若年時から身に着けて健康健全を志向した生活を行い易くすることができる。即ち、上記のような顔筋トレーニング具１の製作と使用を通して、ものづくり能力の向上と正しい発声や言葉及びマナー等のコミュニケーション分野、滑舌筋や口輪筋等の鍛錬、呼吸法の習得活用等の活性を図ることができるので、学生時代から人間力とビジネス能力の向上を志向した人材育成に、好適に繋ぐことができる等の特徴を創出することができる。
【００７９】
次に、図６，図７を参照し上記顔筋トレーニング具１の構成を利用して行う利用手段について説明する。この顔筋トレーニング具１は、利用手段としての歯係合具１４を噛み本体２の舌動部５を利用して設けている。即ち、歯係合具１４は舌動部５に支持された状態で、上側又は下側の歯列Ｂの所定の係止歯に係脱自在に係止させることができ、且つ係止歯を介し口内で噛み本体２の位置決めを確実にすることができる。また噛み本体２が耳又は頭部に装着される装着部材１０のつる部１０ｂを介し引張り方向に支持されるとき、歯係合具１４を介し歯を口内側に引張り付勢する。そして、歯係合具１４は、歯列に嵌合自在な凹溝を有するマウスピース形状となして取付片１４ａを介して舌動部５に設けることが望ましく、これにより歯係合具１４は係合する所望歯列を矯正する歯の矯正ツールになり、歯科医療の分野において噛み本体２側から歯を矯正する新規な用途を創出する等の特徴がある。
【００８０】
また顔筋トレーニング具１は、必要により装着部材１０のつる部１０ｂに係止部１０ｈを凹入形成することができ、該左右の係止部１０ｈを針金やバンド又は紐等の横連結部材１０ｃによって連結するとき、つる部１０ｂの浮き上がりを規制することができる。つまり装着部材１０の装着状態において、つる部１０ｂの中途部と顎下部とを正面視でＵ字状に連結する横連結部材１０ｃは、顎を大きく上下動してもつる部１０ｂの浮き上がりを規制するため、噛み本体２を口角部に適正接触させた状態で歯係合具１４を適正矯正姿勢に保持することができる。
【００８１】
次に、図６に２点鎖線で示すような各種の補助機器６を、顔筋トレーニング具１に付加する付加手段と使用例について説明する。この顔筋トレーニング具１は、耳前方のこめかみ部や頬局部を押圧するツボ接当部材３０や、補助機器６の別実施例として示す生体マイナスイオン発生器（治療器）３１の導子部３２を、装着部材１０並びに噛み本体２の構造を利用して設けることができる。
【００８２】
即ち、上記ツボ接当部材３０は、つる状の装着部材１０に取付け自在な取付部３０ａと、該取付部３０ａの先端部に内向きに突設されるツボ接当部（指圧突起）３０ｂとからなり、噛挟み具１ａを顔に装着したとき、ツボ接当部３０ｂがこめかみ等の所要箇所に接当して指圧作用を行なう。また前記導子部３２はクリップ構造によって装着部材１０に着脱自在に取付けるものが望ましく、この場合には装着部材１０の通電性により生体マイナスイオン発生器３１から発生供給されるマイナス電子を顔の外皮から身体に簡単に送ることができるので、使用者の生体マイナスイオンを高めて健康改善や保持等を行い易くすることができる。
【００８３】
また導子部３２は、装着部材１０のほかに噛み部２ａ，２ｃ或いは口角接触具７を通電部材にするか又は噛み部２ａ，２ｃを利用して着脱自在に設けた構造にすることができる。尚参考までに、上記生体マイナスイオン発生器３１（以下単に治療器と言う）は、「タカタイオン療法」として学術的に効果検証がなされて周知の「生体マイナスイオン発生治療器」であることが望ましい。この治療器３１の出力導子はステンレス製の導子（金属板）であることが好ましく、この導子を手で把持して使用することにより、身体エネルギーが生体マイナスイオン主体になることから、糖尿病や歯周病ほか多くの病気改善並びに疲れ難い体への体質改善を効果的に促進するとされている。
【００８４】
従って、上記治療器３１の導子部３２を身体接触可能に設けるようにした顔筋トレーニング具１では、在来の治療器３１のように導子部３２を手で直接的に把持する必要がないため、手作業を要する勉強やパソコン使用並びに各種の作業に対し、手を塞いで支障を生ずるといった欠点を解消することができる。即ち、導子部３２を備える噛挟み具１ａは、治療器３１が目的とする治療内容を、発声トレーニングや笑顔トレーニング等に併せて同時に行うことができるため、治療及びトレーニング時間の効率化及び使用効果を相乗的に高めながら、飽きの来ない使用を継続し易くすることができる等の特徴がある。
【００８５】
また前記した補助機器６或いは治療器３１を設けて使用するようにした顔筋トレーニング具１は、トレーニング時に人が発する声や顔筋或いは血流等のデータを、例えば、各対応する適宜な検査装置によって検出しパソコン、スマホ等を用いてモニタやパターン学習をすることにより、よりよいトレーニングの発想と改善を行い易くすることができ、また医療や治療の分野等への新たな利用も同時に創出する。
さらに、音声ガイドや録音等の補助機器６を併用して発声トレーニングを行うとき、各種単語やフレーズ或いはオノマトペ等の発声特性の把握や、そのデータの改善を容易にすることができると共に、これら学術分野で新規な開発と展開を図ることを容易にする等の特徴がある。
【００８６】
次に、図８に示す顔筋トレーニング具１について説明する。尚、前記した図６，図７のものと同様な構成及び作用については、同一符号を付して説明を省略する。この顔筋トレーニング具１は、単独使用可能なパイプ材によって形成した噛挟み具１ａを、針金等の線条部材によって一連に形成した装着部材１０に着脱自在に取付けるようにしている。上記噛挟み具１ａは、図４のものと同様な舌動部５を有する噛み本体２に対し、２点鎖線で示す口角接触具７を兼ねる枕部３を備える厚噛み部２ｃを挿入することができ、この状態で装着部材１０に着脱自在に取付けることもできる。
【００８７】
装着部材１０は、噛挟み具１ａを装着すると共に口角接触具７となる取付部１０ｄを、左右のつる部１０ｂの先端を内向きに曲げて形成し、耳掛け部１０ｅを各つる部１０ｂの後部に下向きに湾曲させて形成し、該耳掛け部１０ｅの後端側を上向きに折返して屈曲部１０ｆを設け、且つ両屈曲部１０ｆを下向き湾曲状の上連結部１０ｇによって一連に連結形成している。これにより装着部材１０は、上連結部１０ｇを上方から頭部に嵌める動作によって、左右の耳掛け部１０ｅを各耳に安定よく掛けることができる。このとき前記内向きに曲げ形成される左右の取付部１０ｄは、平面視で内向きのフック状になるため、顔の両側から口角部内に挿入して口角後縁（唇奥側）に引っ掛け状態で接触させることができ、口縁接触軸部７ｃや噛み部２ａとして使用することもできる。
【００８８】
即ち、取付部１０ｄは、図示例の位置からさらに内向きに延長すると、この延長部分を噛み部２ａとして使用することができる。つまり装着部材１０は、装着状態において取付部１０ｄを口縁接触軸部７ｃとして、左右の耳掛け部１０ｅとつる部１０ｂを介する弾性力によって、左右の口角部を耳方向或は上方に向けて軽く引き上げるように接触させることができ、口角部を上方に付勢した笑顔状の口元にすることができる。また左右の取付部１０ｄは装着部材１０の弾性力に抗して取付幅を拡縮できるので、噛挟み具１ａの両端部の取付けを簡単に行うことができ、所望形状の噛挟み具１ａを選択使用したトレーニングを行うことができると共に、噛挟み具１ａを取付軸心を中心に回動及び回動固定自在に利便性を有して取付け使用することもできる。
【００８９】
さらに取付部１０ｄには、所定の形状と大きさで口角部にソフトに接触させる口角後縁接触部の一態様として図示する、例えばシリコン系素材等で形成される口角接触具７を着脱自在に挿入して取付けることができる。この場合の口角接触具７は、口内に挿入して口角後縁に接触する口縁接触軸部７ｃと、噛み本体２を挿入して取付ける取付部（孔）とを兼用して構成することができる。つまりこの口角接触具７は、前記図３で示す口縁接触軸部７ｃに相当し口内接触片７ｂを設けた形状にすることができ、さらに、この口角接触具７は必要により口内側に向けて延長させて形成することもでき、この場合には延長部を噛み部２ａとして使用することができる。また装着部材１０はつる部１０ｂに２点鎖線で示すように屈曲させ、例えば口角の斜め後方上方で頬骨下の窪み部（法令線上）に接当自由な、又は鼻の両脇下部のツボに接当自由な口角接触具７を設けることにより、各ツボに特有な効果を奏するように適正な指圧力を有して指圧をすることができ、また装着部材１０を口内に差入れて濡らすことのない口外用の顔筋トレーニング具１として単独商品化をすることができる。尚、上記口外用の顔筋トレーニング具１の構成手段は、後述する図１０,図１２,図１４,図２２に示す実施形態に対しても同様に構成することができる。
【００９０】
以上のように構成される顔筋トレーニング具１は、噛挟み具１ａを装着部材１０に装着するときは主として発声トレーニングを行うことができ、また噛挟み具１ａを設けない場合には主として笑顔等の顔筋トレーニングを行うことができ、また線状部材からなる装着部材１０は、左右のつる部１０ｂと耳掛け部１０ｅと上連結部１０ｇ並びに取付部１０ｄを一体構造にしているため、安価な針金等の線条部材によっても剛体構造にしながら簡単に製作することができる。また屈曲部１０ｆの湾曲並びにつる部１０ｂの湾曲形状を弾性力に抗して曲げ伸ばしをすることができるので、顔の大きさに対し各部の長さ調整を容易に行うことができる等の特徴がある。また装着部材１０は、上連結部１０ｇを耳掛け部１０ｅから上方に起立させて後頭部を開放しているため、椅子に頭を当てた状態で行なうトレーニングを装着部材１０に邪魔されることなく行うことができる。また非使用時に装着部材１０は、上連結部１０ｇを壁面等のフックや掛け具に簡単に引っ掛けることができるため、格納や保管を行い易くすることができる等の利点もある。
【００９１】
そして、左右のつる部１０ｂは必要により、その中途部を横連結部材１０ｃによって連結することにより、左右の取付部１０ｄの位置決めとフレーム構造の剛体化を図ることができる。この場合に、左右のつる部１０ｂの取付部１０ｄ寄りを、２点鎖線で示すように横連結部材１０ｃによって下方から連結すると、該横連結部材１０ｃを顎の下方又は前方に位置させて視界外におくことができる。またこの場合には、左右のつる部１０ｂを前方側の横連結部材１０ｃによって一体化させるので、上連結部１０ｇを省略したシンプルな構造にすることができると共に、装着部材１０を外して床面Ａに置くとき、横連結部材１０ｃが枕部８ｍになって口角接触具７等の接地を防止し衛生的に再使用することができる等の利点がある。
【００９２】
さらに、図示例の装着部材１０は、顔前連結部材１１を必要により設ける場合の実施形態を示している。この顔前連結部材１１は、後方を解放した二股Ｕ字状の線状部材の中央部に鼻を跨いでその左右に接当させる鼻当て部１１ａを設け、且つ顔前連結部材１１の両端側を左右のつる部１０ｂに対し、上記鼻当て部１１ａの接当高さ位置を調節自在に取付けるようにしている。また左右の鼻当て部１１ａは線状部材を屈伸変形することで、接当位置の幅及び前後方向の調節をすることができるので、鼻腔を広げるツボ点等を確実に押接し鼻呼吸をより楽に行うこと、及び鼻呼吸を意識させることができる。また顔前連結部材１１には重錘等の押圧部材１１ｂを付設することができ、この場合には押圧部材１１ｂの押圧力によってツボ点等を強弱自在に指圧することができる。従って、顔前連結部材１１を備える装着部材１０は、口呼吸症候群の防止とその症状の改善を行い易くする等の新たな特徴を簡単に創出する。また舌動部５を有する噛み本体２は、装着部材１０に対し回動自在に取付けることができ、この場合には舌動部５が口内の形状や顎の運動に応じて上下方向に倣い移動をすること、及び装着部材１０への変動力を抑制するためトレーニングを行い易くすることができる利点がある。
【００９３】
さらに、左右のつる本体８を連結する横連結部材１０ｃは、その中途部に任意構造の息吹込み具１２を使用適正姿勢に設けることができ、該息吹込み具１２を利用した呼吸法や管楽器の練習並びに発声トレーニング等を効果的に行うことができる。息吹込み具１２は、口から息をいれる息入れ部１２ａと息排気部１２ｂを有する本体部を、取付部材１２ｃを介して横連結部材１０ｃに着脱及び取付け角度並びに位置調節自在に設けることができる。これにより顔筋トレーニング具１は、噛挟み具１ａによるトレーニングを行いながら又は噛挟み具１ａを外した状態で息吹込み具１２を使用し、例えば管楽器の息づかい練習や口元トレーニング等を効果的に行うことができよい口元習慣をつけ易くすることができる。尚、上記のように横連結部材１０ｃを利用して取付ける息吹込み具１２等の利用付属機器は、別途準備される任意形状の着脱自在な横連結部材１０ｃに取付けて用いることもできる。また各横連結部材１０ｃは屈伸自在な材料にすると、左右の支持部８ａの支持間隔を使用者が自在に調節することができる。
【００９４】
次に、図９に示す顔筋トレーニング具１について説明する。尚、前記した各実施形態と同様な構成及び作用については、同一符号を付して説明を省略する。この顔筋トレーニング具１は、装着部材１０に対し噛み本体２を介し噛挟み具１ａを着脱自在に設けることができる。また前記図８で示すものと同様な噛み部２ａと舌動部５を有する噛み本体２に対し、厚噛み部２ｃを左右の外側非噛み部２ｓ側から着脱自在に挿入して取付けている。また装着部材１０は、前記補助機器６のほか必要により、例えば後述するようなウェアラブル端末としての電脳メガネ或は視界変化メガネ等の機能を有する他機能メガネ３５、並びに各種の顔指圧器具３８，３９等を装着できるようにしている。
【００９５】
装着部材１０は、頭部に装着自在な平面視略Ｕ字形状の合成樹脂製バンドにしていると共に、左右のつる部の先端に可撓性と弾性力を有して拡開自在なスリット形状孔等からなる取付手段９を設けている。これにより装着部材１０は、取付手段９を介し上記噛み本体２を取付けることができるほか、各種の口角接触具７を着脱自在に取付けることができる。また装着部材１０は頭部上方に嵌めた装着状態で、つる部の中途に補助機器６等を装着し易くする補助装着部材（上連結部）３６を設けている。この補助装着部材３６は、正面視下向きＵ字状に形成した合成樹脂製バンドにしており、その両側の脚部を装着部材１０の左右のつる部に位置決め調節及び着脱自在に連結し、且つ部材中途部に補助機器６等を取付け自在な取付ベース３６ａを設けている。
【００９６】
次に、装着部材１０の左右に取付手段９を介して取付けられる口角接触具７の実施例について説明する。この口角接触具７は、外側から口角部に接触させる口外接触片７ａと内側から接触させる口内接触片７ｂと、口角後縁に接触させる口縁接触軸部７ｃと、口外接触片７ａの外側に突出させる取付部７ｄとを一体構造にしていると共に、この本体部に噛み本体２を挿入自在とする取付孔７ｔを貫通させた構成にしている。これにより左右の顔接触部材７は、装着部材１０の取付手段９としての孔に、軸状の取付部７ｄを挿入し左右対称に対をなして取付支持される。また図示例の顔接触部材７は、口外接触片７ａを径大な縦向き楕円形状となし、口内接触片７ｂを径小な横向き楕円形状にすることにより、前記図３で示す口角接触具７と同様に口角部への装着及び顔筋トレーニング等を行い易くしている。
【００９７】
上記のように構成される顔筋トレーニング具１は、噛み本体２を外して装着する使用状態において、口外接触片７ａを外皮部Ｃに接触させながら口内接触片７ｂと口縁接触軸部７ｃが口内側から接触して口角刺激を付与する。また顔接触部材７は装着部材１０を介し口角部を耳方向に引き上げるように接触するため、この状態での前記笑顔や顔筋トレーニング並びに発声トレーニング等を効果的に行うことができる。
さらに、左右の口角接触具７は、バンド状の装着部材１０と補助装着部材３６とによって左右外方側への移動が規制されると共に、口内接触片７ｂが口角後縁に内側から係止しているため、片持ち支持状態の口角接触具７を顔から離脱させることなく使用することができる。そして、前記図８で示すものと同様に、噛み本体２を設けないでも片持ち支持した口角接触具７を利用して発声トレーニングを簡単に行うことができると共に、口外接触片７ａの下部を枕部８ｍにすることにより唾液で濡れる口内接触片７ｂと床面Ａとの接触を防止している。
【００９８】
また装着部材１０には、前記した実施形態のものと同様な各種の補助機器６や治療器３１を各対応する取付手段によって設けることができ、この場合に治療器３１の導子部３２は口角接触具７及び噛み本体２の端部に２点鎖線で示すように着脱自在に取付けることが望ましい。また補助装着部材３６は、頭上に形成した取付ベース３６ａに補助機器６等を簡単に取付けることができ、補助機器６の携帯移動を行い易くすることができる。
【００９９】
さらに図示例の装着部材１０は、両側のつる部や下向きＵ字状の補助装着部材３６に対し、例えば、顔の正面側から額、目回り、鼻回り、口回り等に存在しているツボ（指圧点の外皮部）を押圧して指圧作用を行う指圧突起３７を有する顔指圧器具（上指圧具，下指圧具）３８，３９等を設けることができる。これにより顔筋トレーニング具１は、噛み本体２と指圧器具３８等を備える装着部材１０によって、顔筋や発声トレーニングをしながらツボ指圧を行ない、また噛み本体２を外した装着部材１０を単体の顔指圧器具として利用することを可能にしている。尚、このとき装着部材１０から外した噛み本体２は、厚噛み部２ｃの外側で最大径になる部分が枕部３になるため、床面Ａに衛生的に置くことができる。
【０１００】
図示する顔指圧器具は、額部分で左右の眉毛上方部と目の上方部とのツボに各接当させる複数の指圧突起３７を有する上指圧具３８と、左右の目の下方部と鼻の両側と口の上方部とのツボに各接当させる複数の指圧突起３７を有する下指圧具３９とからなる。そして、上指圧ベース３８ａと下指圧ベース３９ａとは、それぞれベルト状の取付部材３９ｂによって装着部材１０或いは補助装着部材３６に対し取付け位置調節及び着脱自在に取付けるようにしている。尚、各対応する部材の取付手段は、面ファスナ等を用いることによって簡単に構成することができる。また各指圧突起３７は、上指圧ベース３８ａと下指圧ベース３９ａに対し、着脱自在に取付けると共に、左右及び上下方向に移動調節自在な取付手段によって取付けるようにしている。
【０１０１】
これにより上記各指圧突起３７は、顔の大きさや指圧所望箇所に応じた位置決めを確実且つ容易にすることができるため、１つの顔指圧器具３８によって適正に指圧することができる。また下指圧ベース３９ａは、その中央部に鼻孔を塞ぐことなく鼻の先端を挿入させる鼻挿入孔３９ｃを設けている。これにより装着部材１０及び補助装着部材３６を介して顔指圧器具を顔に装着したとき、上指圧ベース３８ａと下指圧ベース３９ａとを目の上下に安定よく位置決めし、各指圧突起３７を対応する各ツボに適正に接当させることができる。このとき鼻の先端は下指圧ベース３９ａの鼻挿入孔３９ｃから突出する。
【０１０２】
尚、指圧突起３７は、必要により振動手段によって振動させること、加熱手段によって加熱させてもよく、また前記治療器３１の導子として利用してもよい。また指圧突起３７は、顔を膜部材等のパック具によって覆った状態でも適正に指圧をすることができる。また実施形態の顔筋トレーニング具１は、図１１で後述するような視界助成具４６や他機能メガネ３５等を装着部材１０の補助装着部材３６に設けて使用することができる。
【０１０３】
次に、図１０，１１に示す顔筋トレーニング具１について説明する。この顔筋トレーニング具１は、装着部材１０と口角接触具７とメガネフレーム部４５を弾性力及び可撓性を有する針金等からなる線状部材によって一連に構成する実施形態を示している。この例による顔筋トレーニング具１は、上記３者を一本の線状部材によって簡単且つ安価に一体的に製作することができることができるので、前記図６，図８に示すものと同様に、子供たちのものづくり工作教材として好適化することができる。そして、工作後は製作した各種の顔筋トレーニング具１を用途目的に対応させたトレーニングを実践教育する教育補強用具として生かすことができる。
【０１０４】
またメガネフレーム部４５には、眼鏡レンズの有無に係わらず図１１で示すような、視界助成具４６等を着脱又は一体的に設けることを可能にしている。これにより顔筋トレーニング具１は、顔筋トレーニングや発声トレーニング並びに上記教育補強用具の目的に合わせ、メガネフレーム部４５や視界助成具４６を利用することができるので、速読法トレーニングや読書をするとき及びパソコンやスマホ等を使用するとき、また動体視力を高めるアイトレーニングをするとき等に相乗効果を創出することができる。
【０１０５】
図示する顔筋トレーニング具１は、所定長さの１本の針金の中央部を横連結部材１０ｃを兼ねるメガネフレーム部４５の上部フレーム４５ａとし、その端部を下向きに屈曲して丸めることにより左右のレンズ部フレーム４５ｂを形成したのち、その端部側を後方に延長して耳掛け部１０ｅを備えるつる部１０ｂを形成することにより、メガネフレーム部４５を有する装着部材１０を簡単且つ安価に製作することができるようにしている。
【０１０６】
この装着部材１０は、つる部１０ｂの中途に下向きの捻り部１０ｋを加えて下方に口角接触具７を設ける支持つる部４５ｃを延設したのち、該支持つる部４５ｃの下端に捻り部１０ｍを加えて口角接触具７を内向きに形成し、且つ捻り部１０ｍの上方に捻り部１０ｎを設けることにより、噛み本体２を取付け自在な取付手段９としての取付部１０ａを形成している。尚、上記のような針金細工の顔筋トレーニング具１は、前記図６，図８のものと同様に、方形状の木材に釘又は木ねじ等を所定配置し打ち付けた手作り治具によって曲げ加工をすることができるため、子供達でも簡単に製作することができる利点がある。また上記顔接触部材７は、支持つる部４５ｃの下部を内向きフック状に屈曲することにより口縁接触軸部７ｃを形成しているが、種々に変形加工することにより口外接触片７ａや口内接触片７ｂ等を自在に作ることができるため、口角接触具７を簡単に製作することができる。
【０１０７】
上記のように製作される顔筋トレーニング具１は、その装着使用状態において横連結部材１０ｃとなるメガネフレーム部４５の剛体構造によって、左右の口角接触具７は支持位置を安定よく位置決めされて左右の口角部に適正に挿入することができ、また口角接触具７及び取付部１０ａの位置決め調節は、支持つる部４５ｃに形成される２本の針金の間隔を拡縮又は屈曲することにより簡単に行うことができる。また取付部１０ａは取付孔の形状及び大きさを自在に形成できるため、前記各種形態の噛み本体２を挿入して噛挟み具１ａを取付けることができる。このとき口角接触具７は、２点鎖線で示すように反転屈曲しておくことが望ましい。
【０１０８】
一方、上記メガネフレーム部４５には、図１１で示すような視界助成具４６を着脱自在に取付けることができ、その使用を口角接触具７と共に随時効果的に行うことができる。図示例の視界助成具４６は、少なくとも視界の上方と側方を覆うフード状のカバー４７を、該カバー４７の形状によってメガネフレーム部４５に嵌合状態で着脱自在に装着できるようにしている。この視界助成具４６は、カバー４７によって形成される視界内に、液晶ガラスや液晶フィルム技術による視界シャッタ切換手段或はスクリーンやモニタ手段等の視界変化具４６ａ、又は本願出願人が既に提案している特開平１０−１１８１４０号公報に記載されるような、アイトレーニング装置４８の発光素子４８ａ等を設けることにより、顔筋トレーニング時に動体視力の向上を図るアイトレーニングを同時且つ簡単に行うことができる等の特徴がある。
【０１０９】
尚、視界変化具４６ａとアイトレーニング装置４８は、プログラミングされたコントロール部４８ｂを介してトレーニング自在に動作させることができる。また視界助成具４６は、２点鎖線で示すように左右の眼の視界を同時又は個別に形成可能な筒状のカバ−４７ａを設け、該カバ−４７ａ内に視界範囲を方形状等任意の形状に調節することができる視界絞り調節手段４９を構成することが望ましい。またカバ−４７ａには視界透過を変化させる公知の技術からなる視界シャッタ切換手段を設けている。
【０１１０】
即ち、視界絞り調節手段４９及び視界シャッタ切換手段４９ａを備える視界助成具４６は、本や新聞並びにパソコン等の画面を読むとき、その視界を任意の大きさに確実にブロック（フレーム）化して速読視認を容易にすることができる。また視界をＯＮ，ＯＦＦするシャッタタイミングの調節によって、眼に速読に適正なまばたきを誘導することができる。これにより例えば、「０．３秒の軌跡、まばたき速読術」（著者わらし仙人、発行所（株）武田ランダムハウスジャパン）の本で推奨されている、まばたき速読法や、文章中に視界範囲の文字枠（視界フレーム）を定め文字をブロック化して読むブロック読み速読法等を容易にすることができる。また上記文字枠は例えば付属される図示しないカメラによって撮影した映像を電脳メガネやウェラブル端末等によって見るようにしてもよいものであり、自力では困難性があり挫折しやすい速読トレーニングを、前記各トレーニングと共に時間を節約共有しながら楽しく継続し易くすることができる等の特徴がある。
【０１１１】
次に、図１２，１３に示す顔筋トレーニング具１について説明する。この顔筋トレーニング具１は、装着部材１０を図１に示すものと同様の板状断面のメガネ型のつる本体８としており、左右のつる本体８は前記顔接触部７又は噛み本体２を取付ける取付手段９を備える支持部８ａと、該支持部８ａに蝶番構造等の折畳部５０を介し、頭部或は耳部に挟持状に装着する頭部つる部８ｂとによって構成している。また左右のつる本体８の支持部８ａは、横連結部材１０ｃによって連結自在にしている。尚、折畳部５０は、蝶番構造の他に折り曲げ又は屈伸自在な合金や合成樹脂部材或はワイヤ部材部材からなるフレキシブル継手にすることができる。このフレキシブル継手５０は、前記図６に示す線状のつる部１０ｂの基部又は中途部への介装も簡単に行うことができると共に、折畳角度を自在に選定及び規制することができるので、より薄型でコンパクトな折畳姿にすることができる。
【０１１２】
これにより装着部材１０は、左右のつる部１０ｂを一体的なユニット構造とした状態で、折畳部５０を介して各頭部つる部８ｂを内側に折畳むことができ、コンパクトな収納姿勢にすることができる。また頭部つる部８ｂは、必要によりフック部（耳掛け部）８ｃを設けることができ、フック部８ｃの近傍位置には２点鎖線で示すようなつる部挿入部５１を外側方に向け屈曲させて設けることができる。このつる部挿入部５１は、使用者が別途装着しているメガネのつる部を跨ぐことができ、メガネつる部との干渉を防止し、メガネを掛けた状態での顔筋トレーニング具１の使用を行い易くする。
【０１１３】
次に、図１２，図１３に示す口角接触具７と支持部８ａ及び取付手段９について説明する。先ず、支持部８ａは縦向きの板状片の一側（前方）から他側（後方）に向けて切欠した長孔状の取付孔５２を形成しており、該取付孔５２に図３で示した口角接触具７の一態様である図１３（ａ）の口角接触具７を取付手段９によって取付自在にしている。図１３（ａ）の口角接触具７は、接触具本体を口角後縁に接触する口縁接触軸部７ｃと、該口縁接触軸部７ｃの端部外周に一体的に突出させて口角部の内側に接触させる口内接触片７ｂと、口縁接触軸部７ｃの基部側に突設した取付軸部７ｅとから構成している。
【０１１４】
これにより取付手段９は図１３（ａ）に示すように、取付軸部７ｅを取付孔５２に挿入した状態でそのネジ部に、外側から横連結部材１０ｃの取付座５５を挿入したのちナット５６を螺挿締着するように構成している。従って、この顔筋トレーニング具１は、左右のつる本体８を横連結部材１０ｃによって着脱自在に一体的に連結しながら剛体構造の装着部材１０にする。また横連結部材１０ｃは、側面視での取付け角度自在に調節することができると共に、使用し易い所望位置（角度）と形状に屈伸変化させることができ簡単且つ多様な使用を可能にする。
【０１１５】
さらに、左右のつる本体８を連結する横連結部材１０ｃは、前記図８に示すような息吹込み具１２の他に、その中途部に顔の筋肉に負荷をかけて鍛えることができる顔筋負荷付与具５７を使用し易く設けることができる。図１２に示す顔筋負荷付与具５７は、口に銜えることができる柔軟部材からなるホールド部（マウスピース）５７ａと負荷付与部５７ｂを有する本体部を、自在継手等からなる取付部材５８を介して横連結部材１０ｃに着脱及び取付け角度並びに位置調節自在に設けている。また負荷付与部５７ｂは、スプリング部材に設けた揺動ウエイト５７ｃ、或は内部に設置した振動発生機構によって動力的な振動を発生して、口を介し顔並びに首等の筋肉に負荷を付与することができる。
【０１１６】
これにより顔筋負荷付与具５７は、口角接触具７を使用しながら顔筋負荷付与具５７による外力的な負荷を、口及び顔の各種筋肉に伝えて口元トレーニングや顔筋トレーニングによる顔のたるみ予防等の鍛錬効果を上げることができ、また休止時に顔筋負荷付与具５７を床に置くことなく横連結部材１０ｃに保持するのでトレーニングを速やかに再開することができる。また顔筋負荷付与具５７によって発生される動力負荷による顔筋トレーニングを専ら行うトレーニング器具にする場合には、上記口角接触具７を設けない装着部材１０にすることが望ましい。また顔筋負荷付与具５７は、図２３で後述するような顔筋運動手段４０を採用してもよい。
【０１１７】
また図示例の各口角接触具７は、その本体中心に内端側から噛み本体２の端部を着脱自在に挿入できる所定深さの取付孔７ｔを形成している。これにより左右の口角接触具７は、両取付孔７ｔ内に簡単な構成によって、噛み本体２の両端部を所定深さに着脱自在に挿入して支持することができる。
また取付孔７ｔは、図示例のように本体を貫通する通し孔にすることができる。この場合には噛み本体２を取付けない顔筋トレーニング具１の装着使用状態において、取付孔７ｔを口外の大気と連通する通気口（７ｔ）として利用することができるので、以下に記すような新規な呼吸法トレーニングパターンを創出することが可能になる。
【０１１８】
即ち、上記構成による口角接触具７は、左右の口角部に差し入れて唇挟み状態又は歯による噛挟み状態で使用するように構成することができるため、鼻で大きく吸い込んだ息（空気）を前唇を強く閉じながら、前記通気口となる取付孔７ｔを介して左右の口角部から細く長くはき（呼）出す口角呼吸や、前唇を常時塞いだ状態において専ら通気口（取付孔）７ｔを介して行う新規口な口角呼吸法を行い易くすることができる。このとき上記口角呼吸法は、噛挟み姿勢で前唇を閉じる顔筋動作（顔筋運動）作用によって自ずと口角部に意識を集中させて口角部を上方に引き上げる好適笑顔状態の口元にすると共に、鼻腔が自ずと広がるため鼻呼吸を楽に促進することができ、前記した口呼吸症候群の改善等の健康上の作用効果や笑顔美人に向けた効果を向上できる。さらに、上記口角呼吸法と、これに合わせて舌を自由に動かすことができるようにした顔筋トレーニング具１、口角部から通気口７ｔを介して呼吸をしながら前唇を常時楽に閉じることができるので、舌のみを長時間動かして行う舌筋トレーニング法と滑舌活性法を可能にする新規な口角呼吸舌運動型の顔筋トレーニング具１を創出できると共に、トレーニング態様を広げ楽しく容易且つ効果的に使用することができる。
【０１１９】
また顔筋トレーニング具１を外したのちの笑顔の口角残留感覚の余韻をより長く持続させることができる。従って、上記各種のトレーニング効果を高める強制笑顔ツールとして好適に利用することができる等の特徴がある。
また左右の口角接触具７は、各取付孔７ｔの孔形状を利用して、噛み本体２の両端部を挿入することにより噛挟み具１ａを着脱自在に取付けることができ、また図１３（ａ）に示すように、左右で対をなす片側噛挟み具１ｂを取付けることができる。図示例の片側噛挟み具１ｂは、前記薄噛みトレーニングをすることができる噛み部２ａと厚噛みトレーニングをすることができる厚噛み部２ｃ等からなる噛み本体２にしており、該噛み本体２の口内側への突出量を変更自在にすることにより、噛み部２ａと厚噛み部２ｃとの噛挟み位置を選択して上記両トレーニングを簡単に行うことができる。
【０１２０】
次に、図１３（ｂ）を参照し口角接触具７の他の実施形態及び取付手段９について説明する。図示例の口角接触具７は、口内接触片７ｂを有する口縁接触軸部７ｃの他端に口外から口角部周囲の外皮部Ｃに広く接触させる口外接触片７ａを設けていると共に、取付軸部７ｅの軸端に口外接触片７ａとの間で支持部８ａを挟むように接触する取付片７ｆを一体的に設け、且つ本体部の軸心に沿って取付孔７ｔを形成している。これにより口角接触具７は、支持部８ａの取付孔５２に取付軸部７ｅを挿入したとき、弾力性及び可撓性を有する口外接触片７ａと取付片７ｆとによって支持部８ａを挟持する取付手段９を構成し、顔接触部材７を所望位置に位置決め固定することができる。
【０１２１】
そして、口角接触具７は口内接触片７ｂを口内に差入れると共に、口外接触片７ａを口角部の外皮部Ｃに接触させるとき、口角部の口縁（口縁周りの唇や頬肉）を口内接触片７ｂと口外接触片７ａとの間で挟持した装着状態にすることができる。従って、この口角接触具７は、口角後縁に口内接触片７ｂと口外接触片７ａとにより口角挟持装着状態にすることができるため、口角部に対し前記大きな接触刺激を付与してトレーニング効果を向上させることができる。また口外接触片７ａは広い鍔状片によって、外皮部Ｃと支持部８ａとの直接的な接当を規制して装着時の違和感を防止する。尚、この口角接触具７の形状は、図１６で後述するように、側面視において前後方向に長く形成すると共に、平面視で椀状又は吸盤状に形成してもよいものである。
【０１２２】
次に、上記口角接触具７に対し、片側噛挟み具（片側滑舌棒）１ｂを設ける場合の実施形態について図１３を参照し説明する。図１３（ａ）に示す片側噛挟み具１ｂは、噛み本体２の外側に厚噛みトレーニング可能とする厚噛み部２ｃを設け、内側に薄噛みトレーニングを可能とする噛み部２ａを設け、噛み本体２を取付孔７ｔに左右移動自在に挿入することにより奥歯による噛挟み位置を変更できるようにしている。また図１３（ｂ）に示す片側噛挟み具１ｂは、噛み本体２の内側と外側に薄噛み用の噛み部２ａと厚噛み部２ｃを設け、取付孔７ｔに噛み本体２を反転挿入自在にすることにより噛挟み位置を変更可能にしている。尚、上記顔接触部材７の取付孔７ｔは、噛み本体２によって閉じることができると共に、必要により図示しない閉栓を用いて閉じることができる。また口角接触具７は、口縁接触軸部７ｃから短い噛み本体２を歯列Ｂに噛挟み自在に一体的に設けることができる。
【０１２３】
次に、図１４，図１５，図１６及び図１７並びに図１８，図１９，図２０，図２１を参照し顔筋トレーニング具１の他の実施形態について説明する。尚、前記した各実施形態のものと同様な構成及び作用については同一符号を付し説明を省略する。
先ず、図１４，図１５に示す顔筋トレーニング具１は、図１２に示すメガネフレーム状のつる部８ｂを省略した単体態様の支持部８ａを横連結部材１０ｃによって連結したシンプル構造の装着部材１０とし、且つ支持部８ａに図１３で示すものとほぼ同様な取付手段９によって顔接触部材７を設けた構成にしている。これにより顔筋トレーニング具１は、左右の口角接触具７を口角部に両外側から単に挟持状に接当させるだけで使用することができる簡潔な構造にすると共に、手軽な携帯使用と長時間の使用を行い易くしている。
【０１２４】
即ち、装着部材１０は、Ｕ字又はコ字状に形状にした横連結部材１０ｃの両端部を、板状の支持部８ａに設けた複数の連結孔６１を選択して、ネジを介し各軸回り方向に着脱自在に取付けることを可能にしている。また横連結部材１０ｃの中途部には、外方に向けて屈曲させた屈伸部６２を設けており、該屈伸部６２の曲げ伸ばしによって装着形状を変更可能とし、口角部に対する左右の口角接触具７の押接力調節を簡単に行うことができる。また横連結部材１０ｃを、鼻の前方又は頭の上方或は後方又は顎の前方或は下方頭や首の後部並びに顔前を横断させた装着使用を自在に行うことができるようにしている。従って、この顔筋トレーニング具１は口角接触具７を備える支持部８ａを横連結部材１０ｃによって連結した簡潔な構成にしているので、取扱いの利便性を有すると共に、一般のメガネを掛けている使用者のメガネフレームに対し、横連結部材１０ｃを上方から係合させた安定状態として使用することもできる。また一般メガネのつる部に対し、口角接触具７は支持部８ａを介し簡単に取付けることができる。
【０１２５】
図示例の口角接触具７はシリコンゴム製等の合成樹脂成形によって、前記図１３で示すものと同様の取付軸部７ｅに、口外接触片７ａと取付片７ｆとを一体的に突設したシンプル構造としている。上記口外接触片７ａは、側面視で取付軸部７ｅの前方側を短く後方側を長くした耳形状又は舌片形状にしていると共に、平面視で椀状又は吸盤状に形成し、取付片７ｆは把持部を兼ねて口外接触片７ａとの間で支持部８ａを挟持するように鍔状に設けている。これにより口角接触具７は、取付軸部７ｅを装着部材１０の支持部８ａに形成された取付孔５２に挿入して顔筋トレーニング具１を構成することができる。そして、顔筋トレーニング具１は、装着使用時に装着部材１０を介して左右の口角接触具７を外側から口角部に押接状態で接触させることができる。このとき口外接触片７ａは、弾力性及び可撓性を有する吸盤状の外周縁が口角部の外皮部Ｃに沿って、２点鎖線で示すように追従変形しながら接触し、口角部への位置決めを確実にしながら痛みを伴うことなく好適に装着刺激を付与することになる。
【０１２６】
また口角接触具７は図１５に２点鎖線で示すように、口外接触片７ａの内部に口角部に対して点的に接触して指圧をする口角突起７ｇを設けることができる。この場合には口角突起７ｇが口角部のツボ指圧点を定めて指圧刺激を付与するため、口外接触片７ａと共にトレーニング効果を相乗的に高めることができる。また口角部の近傍にある鼻や口周り等のツボ指圧点に対する各種の指圧突起３７を必要とする場合には、各指圧突起３７は口外接触片７ａの基部側から外周に一体的に突設することができるほか、支持部８ａから着脱自在に突設することができる。さらに、口角接触具７には、必要により前記したものと同様な取付孔７ｔを設けると、該取付孔７ｔを噛挟み具１ａの噛み本体２や片側噛挟み具１ｂを取付けること、及び必要により通気孔７ｔとして利便性を有して利用することができる。
【０１２７】
次に、図１６,図１７を参照し顔直付け用のクリップ機能を備える各種の口角接触具７について説明する。先ず、図１６の（ａ）,（ｂ）に示す口角接触具７は、前記図１３（ｂ）で示したものと同様に、取付軸部７ｅに図１５で示すような口外接触片７ａと取付片７ｆとを一体的に突設し、且つ取付軸部７ｅの延長方向に設けた口縁接触軸部７ｃの端部に口内接触片７ｂを突設している。上記口外接触片７ａは、既述した耳形状又は舌片形状で椀状又は吸盤状に形成し、外周に至るほど柔軟性を有する形状にしている。また口縁接触軸部７ｃは口内接触片７ｂ側から口外接触片７ａに向けて小径状に集束する接触軸斜面を形成し、口外接触片７ａと口内接触片７ｂとの間に口角後縁を挿入して挟持する挟持間隔を設けている。また顔接触部材７は既述の取付孔７ｔを必要により形成することができる。
【０１２８】
これにより口角接触具７は、取付軸部７ｅを装着部材１０の支持部８ａに形成された取付孔５２に挿入して顔筋トレーニング具１を構成することができる。この顔筋トレーニング具１は、装着部材１０による装着姿勢において、口内接触片７ｂを口内に差入れると共に、口外接触片７ａを口角部の外皮部Ｃに接触させると、口角後縁を口内接触片７ｂと口外接触片７ａとの挟持間隔内に入れて挟持した装着状態にすることができ、このとき口角後縁の内面が前記接触軸斜面に沿って倣い移動し深い挟持状態にすることができる。従って、この口角接触具７は、口内接触片７ｂと口外接触片７ａと口縁接触軸部７ｃとにより口角部に挟持装着状態にすることができ、口角部に対し口外と口内から接触刺激を付与してトレーニング効果を向上させることができる。また口角部に挟持装着状態となる口角接触具７は、口外への離脱や前後方向への位置ズレを規制することができるので、口角接触具７を片持ち支持状態で支持構成する顔筋トレーニング具１の装着姿勢を適正に保持することができる。
【０１２９】
さらに、上記構成及び形状によって口角部に挟持装着される口角接触具７は、装着部材１０から外して用いたとしても、唇による噛挟みによって離脱落下することなく口角部への装着姿勢を保持することができるので、装着部材１０を不要とした単体での使用を可能にする。つまり、単体で装着使用する場合の口角接触具７は、口縁接触軸部７ｃを介して弾性力を有する口外接触片７ａと口内接触片７ｂとが、口角接触具７を口角部に挟持状態で装着するクリップ機能を備えた装着部材１０を兼用構成することになる。このため前記した各種つる状部材からなる頭部装着型の装着部材１０を必要としないで、顔筋トレーニングや発声トレーニング等を簡易に行うことができるので、小型単体状で利便性を有し随時簡単に使用することができる新規方式の顔直付け型顔筋トレーニング具１を創出する。
【０１３０】
従って、上記種単体小型の顔直付け型顔筋トレーニング具１は、口外接触片７ａと口内接触片７ｂと口縁接触軸部７ｃとが顔直付け用のクリップ型装着部材１０になり、左右の口角部に確実に装着することができると共に前方に向けて簡単に外すことができるので、つる部等に邪魔されることなく頭部や首並びに顔等のマッサージを行う際にも自由に装着併用することができる等の利点がある。尚、この口角接触具７は取付軸部７ｅに、輪ゴムやフック状の線状部材等の保持部材からなる装着部材１０を設けるだけで、耳に掛けた保持部材１０が口角部に挟持装着した状態の口角接触具７を上方側に付勢するため、トレーニング効果を高めると共に携帯使用の利便性を備えることができる。
【０１３１】
次に、図１７（ａ）,（ｂ）に示す顔直付け用のクリップ機能を備える口角接触具７について説明する。この口角接触具７は、広幅箆状の口外接触片７ａと小幅箆状の口内接触片７ｂの基部とを、口縁接触軸部７ｃの外側と内側に口角後縁の挟持間隔を有して一体的に設けると共に、側面視で口内接触片７ｂを口外接触片７ａに重ね後方に向け延長させ、平面視でＵ字形状となるように形成している。そして、口外接触片７ａは、前端から後方に向けて上下方向に滑らかに拡開させた形状とし、後端外周を折り返し状に屈曲させて把持部７ｕを形成している。尚、把持部７ｕは装着部材（輪ゴム等）１０の取付部にすることができる。一方、口内接触片７ｂは、後端を内向きに滑らかに屈曲させて挟持用のガイド面７ｖを形成している。
【０１３２】
これにより対をなす左右の口角接触具７は、口外接触片７ａの把持部７ｕを摘まみ口内接触片７ｂを口内に差入れながら後方に移動する簡単な動作によって、上記挟持間隔内に口角後縁を引っ掛け状態で無理なく挿入することができ、口角後縁Ｋを口縁接触軸部７ｃに接触させた状態に速やかに顔に装着することができる。そして、口角接触具７の装着状態において、口内接触片７ｂは滑らかな面形状及び挟持弾性力によって口外接触片７ａとの間で、口角部に痛みを伴うことのない接触刺激を好適に付与する。また口外接触片７ａは、その広幅形状によって法令線部分を外観よく覆うと共に、口角部への装着感をより意識させることができる。また口角接触具７は、上記装着動作とは逆順の動作によって口角部から簡単に取り外すことができ、且つ把持部７ｕ側を床面Ａに接地させて枕部となし衛生的に仮置きをすることができる。
【０１３３】
また口角接触具７は図１７（ｂ）に示すように、必要により前部側に形成される取付孔７ｔに、噛挟み具１ａの噛み本体２を着脱及びスライド自在に挿入して取付けることができ、頭部装着型の装着部材１０を必要とすることなく噛挟み具１ａを口に適正に装着することができる。これにより使用者は、口角接触具７による顔筋トレーニングと噛み本体２を上下の歯列Ｂによって噛挟みした発声トレーニングを併行することができる。尚、口角接触具７の口角部装着手段は上記構造に限定することなく、イヤリングやピアス等のアクセサリを耳に装着する際に用いられる、例えば耳朶を挟持する挟持取付手段と同様な、間隔調節構造或はスプリングや磁力による弾力的に挟持する挟持力調節構造を利用して構成することができる。また口角接触具７の構成材も、在来のアクセサリに使用される各種の貴金属やチタン合金等の皮膚との接触性及び意匠性に優れた好適品質構造にすることができる。
【０１３４】
以上のように構成される口角接触具７は、イヤリングと同様にアクセサリ用途の形状材質等のデザイン付加価値と口角接触刺激付与による実用性の融合化を図ることができるので、口回りを装飾する新規アクセサリ分野を創出しながら、顔筋や滑舌並びに発声等のトレーニングを何時でも何処でも楽しく行うことを可能にする等の特徴がある。さらに、前記した口外接触片７ａを有する各種の口角接触具７は、図示した各種装着部材１０等による装着手段や形状に限定することなく、例えばガムテープや粘着シール等の貼付け部材を用いる装着手段によって、口外接触片３ｅを口角部に取付け補助したり、口外接触片７ａの内面に外皮用の貼着剤を用いて口角部に貼着する等の装着手段にすることができる。この場合には口角接触具７の使用を小型化及び安価な製造を図りながら、携帯性を高めて随時の使用を行い易くすることができる。
【０１３５】
次に、図１８，図１９，図２０，図２１を参照し顔筋トレーニング具１の他の実施形態について説明する。尚、上記各図に示す顔筋トレーニング具１は、図１に示すものと同様に口に横向きに銜えた状態で噛挟みをする噛み本体２を、耳又は頭部から口角部に保持させる各種装着手段としての装着部材１０とから構成している。先ず、図１８に示す顔筋トレーニング具１は、噛み本体２を棒状パイプとなし外周の噛み部２ａの両側に、リング状突起からなる枕部３を設けている。また装着部材１０は、噛み本体２の中空部内に引き出し自在に挿入する弾性装着部材（図示例では輪ゴム状に形成した弾性バンドを示す）としており、該弾性装着部材１０の両端部にパイプ端に接当させるストッパ６５を設けている。この弾性装着部材１０は伸縮自在な線状のスプリング部材にすることができる。
【０１３６】
上記構成による顔筋トレーニング具１は、非使用時に弾性装着部材１０がその弾性力によって左右のストッパ６５を引き寄せて収納状態にすると共に、左右のストッパ６５が噛み本体２の端部に接当したとき、該端部を蓋し真直棒状態の非使用姿勢にする。また使用時は左右のストッパ６５を摘み、弾性装着部材１０を弾性力に抗して引き出すことができる。これにより各弾性装着部材１０は、２点鎖線で示すようにリング状にして左右の耳に掛けることができ、噛み本体２を噛挟み姿勢に支持する。そして、噛挟み使用時に顔筋トレーニング具１は、噛み本体２が左右の弾性装着部材１０によって耳方向に引張り付勢されるため、噛み本体２の外周が口角後縁に内接する口縁接触軸部７ｃと同様な顔接触部材となって、口角部を引き上げる笑顔状態の適正位置に弾力的に押接する。従って、噛挟み具１ａに引張り弾性力を有する装着部材１０を設けて使用する顔筋トレーニング具１は、顔接触部材を口角部に押接付勢して行う新規形態の顔筋及び発声トレーニングを創出することができる等の特徴もある。
【０１３７】
図１９に示す顔筋トレーニング具１は、噛み本体２を舌動部５を有する線状部材となし、左右の噛み部２ａの外側に上記実施形態のものと同様なゴム紐部材（図示例では輪ゴムを示す）からなる装着部材（弾性装着部材）１０を係脱自在又は一体的に取付ける凹凸状の支持部２ｅを形成している。これにより顔筋トレーニング具１は、左右の弾性装着部材１０を耳掛けして噛み本体２を噛挟みするとき、前記図１８のものと同様な作用効果を奏する。
【０１３８】
また図示例の噛み本体２は、左右の噛み部２ａの外側に向けて複数の支持部２ｅを設けると共に、左右の噛み部２ａの間に図６，図７で前記したものと同様の舌動部５を設けている。これにより顔筋トレーニング具１は、噛み本体２を実線で示す通常姿勢から２点鎖線Ｘで示す舌規制姿勢と、２点鎖線Ｙで示す前歯掛け姿勢とに切換自在に装着できるようにしている。そして、弾性装着部材１０を係止して口に装着する複数の支持部２ｅのうち、内側と外側の支持部２ｅは噛み本体２の通常姿勢と前歯掛け姿勢での装着をすることができ、凹溝を逆向きに形成した中側の支持部２ｅは舌規制姿勢での噛み本体２を装着するようにしている。
【０１３９】
即ち、顔筋トレーニング具１（噛挟み具１ａ）は、通常姿勢及び２点鎖線Ｙの前歯掛け姿勢にある噛み本体２を使用するとき、内側の支持部２ｅに係止された弾性装着部材１０は、その中途を口角部や頬の外皮Ｃに接触させた状態での装着部材接触トレーニング行うことができると共に、弾性装着部材１０を外側の支持部２ｅに係止させることにより、弾性装着部材１０を外皮Ｃから離して行うトレーニングを簡単に行うことができる。また噛み本体２は通常姿勢から反転させ弾性装着部材１０を中側の支持部２ｅに係止すると、舌動部５を２点鎖線Ｘの舌規制姿勢に切換えて付勢保持することができるので、舌の動きを敢えて規制しながら唇を集中的に動かして行う新規な発声トレーニングを効果的に行うことができる。
【０１４０】
さらに、噛み本体２は通常姿勢から弾性装着部材１０の弾性力に抗して２点鎖線Ｙの前歯掛け姿勢に簡単に切換ることができ、このとき舌動部５の内側湾曲面を上下の歯列Ｂを選択して歯列形状に沿った状態で接触させることができるので、噛み本体２を口から取り外して床面Ａに仮置きすることなく歯列Ｂに係止保持させて、顔筋や発声等のトレーニングを一時的に解除した状態での会話並びに所用や休憩等を支障なく行なうことができると共に、トレーニングの再開を速やかに行うことができる。さらに、上記湾曲形状と弾性装着部材１０を備える噛み本体２は、湾曲形状の変更改善や図６，図７で既述したマウスピースを設けることにより、歯の矯正ツール等として歯科医療の分野でも新規な用途を創出することができる等の特徴がある。また噛み本体２には、前記図１２,図１３, 図１５,図１６で示すような通気口７ｔを有する口角接触具７を設けることが容易であり、これにより構成される口角呼吸舌運動型の顔筋トレーニング具１は、口からの呼吸も楽に自由にできるため、上記のような医療分野での多様な応用利用を可能にすることもできる。
【０１４１】
図２０に示す顔筋トレーニング具１は、噛挟み具１ａの噛み本体２を紙製或は合成樹脂製の薄板部材６６によって製作する製作手段と、弾性装着部材１０を取付ける取付手段９等の実施例を示す。この噛み本体２は所定の幅と長さを有する帯状の薄板部材６６とし、２点鎖線で示す帯幅の中間を側面視でく字状に折り曲げて、噛み部２ａを長さ方向に形成することができるようにしている。また薄板部材６６は、噛み部２ａの外側端を折り曲げることにより、弾性装着部材１０の一部を巻き込む取付片６６ａを形成し、該取付片６６ａの折り曲げ内面を薄板本体面に貼着する取付手段９にしている。
【０１４２】
上記のように構成される顔筋トレーニング具１は、噛挟み具１ａになる噛み本体２を紙等の薄板状部材と、装着部材１０を輪ゴム等にすることができるので、簡単且つ安価に製作することができる。これにより複数の顔筋トレーニング具１を積み重ねた状態でもコンパクトな荷姿にすることができ、且つ携帯と使用の利便性を創出する。また顔筋トレーニング具１は、使用者が２点鎖線で示す板幅から実線で示すように折り曲げると、この折り曲げ幅によって任意噛挟み高さを有する噛み部２ａを手加工によって自在に形成して使用することができる。そして、噛み本体２を噛挟みしたとき、その噛み部２ａと、該噛み部２ａと取付手段９との間に絞り折り状に形成される折込部６６ｂが、弾性装着部材１０の引張り付勢によって口角部に接当する顔接触部材（口角接触具７）になり、前記実施形態のものと同様に口角接触刺激を付与する作用効果を奏する。
【０１４３】
次に、図２１を参照し噛挟み具１ａ或は一対の片側噛挟み具１ｂ並びに口角接触具７等を、マスクを装着部材１０として使用することができる顔筋トレーニング具１について説明する。先ず、マスク１０は、不織布や紙又は合成樹脂製の汎用部材によって平坦状に形成されるマスク本体１０ｓと、その両側に輪ゴムや紐等の装着手段（以下単に掛け紐と言う）１０ｒを有し、安価に製造市販されている簡易な平坦型マスクとしている。そして、このマスク１０は耳に掛けた装着使用時に、マスク本体部１０ｓが左右の口角部に対向して接触する位置に、対をなす左右の片側噛挟み具１ｂを接着剤による貼着或は縫着等の取付手段９によって取付けている。
【０１４４】
片側噛挟み具１ｂは、噛み本体２を前記図２０で示すものと同様な材質の薄板部材にすることが望ましく、その外側寄りの基部を取付手段９によってマスク本体部１０ｓの左右端側に取付けると共に、他端側（内側）を自由端の噛み部２ａとして起伏自在に構成する。これにより噛み本体２は、噛み部２ａを実線で示すマスク本体部１０ｓに沿う収納姿勢と、２点鎖線で示すように折り曲げ状に起立させたとき、口内に噛挟み可能に突入する使用姿勢とに切換自在にしている。また片側噛挟み具１ｂは、噛み本体２の外側に口角部又はその近傍に接当させる口角接触具７を、半円弧状断面の横長突起として設けている。尚、口角接触具７は図示例の形状に限ることなく、球形状等の複数の突起物からなる口外接触部材として設けてもよい。
【０１４５】
上記のように構成されるマスクタイプの顔筋トレーニング具１は、片側噛挟み具１ｂの収納姿勢では通常のマスクとして使用することができる。そして、顔筋トレーニング用として使用する場合には、各片側噛挟み具１ｂの噛み部２ａを起立させて使用姿勢にする。これにより使用者は掛け紐１０ｒを耳に掛けるとき、左右の噛み部２ａを噛挟みながらマスク１０を装着すると、装着状態において口元を隠した状態で、顔筋や発声等のトレーニング並びに口角部に口角接触具７を押接した接触刺激を付与するトレーニングをすることができる。従って、この顔筋トレーニング具１は、上記各種のトレーニングを人目や場所や時間等を気にすることなく随時何処でも手軽且つ簡単に行うことができ、またマスクの新規な使用法と用途を安価に創出する等の利点がある。
【０１４６】
またマスク１０に設ける口角接触具７は、線状又は帯板状の弾性力及び可撓性を有する屈伸部材を、図２１に点線で示すようにマスク本体部１０ｓに、単に縦向きに取付けることによっても同様な作用を有して構成することができる。即ち、縦向きの屈伸部材は左右一対の顔接触部材（７）としてマスク本体部１０ｓの内部又は内面側の左右に適数配設することができる。これにより設置される口角接触具７はマスク装着時に、その厚さと上下の配設長さ（範囲）によって、口角部或はその近傍の上下を押接して接触刺激を付与するので、前記した各種作用効果を同様に奏することができる。
【０１４７】
さらにこの場合には、マスク本体部１０ｓは口回り全体の外皮部Ｃを押接する押接シート状面になった状態で、縦向きの口角接触具７が上下の唇を強く押接するため、使用者が唇を開いて口を開ける動作に抵抗を付与し鼻腔を大きくさせて、マスク装着時に生じやすい口呼吸を自ずと抑制しながら無理なく鼻呼吸を促進させることができる。従って、顔筋トレーニング用として使用することができる上記マスク１０は、口呼吸を抑制し鼻呼吸を楽に促進させるため、口呼吸症候群や花粉症候群等の予防に繋ぎ易くすることができる等の利点がある。そして、新規型マスクの利用方法とニュータイプマスクを創出することができる特徴がある。
【０１４８】
また上記構成による口角接触具７は、非使用時荷姿の伸長姿勢から使用時には内側に向けて簡単に屈曲せることができると共に、その屈曲部の突出加減によって口角部に接触刺激を適正に付与することができる。また上記のように縦向きで使用できる口角接触具７は、製作及び取付けも簡単に行うことができるので、既成のマスク１０に対する後付け装着可能なマスク付属品又はキット用品としても好適化することができる利点がある。
【０１４９】
尚、図示例の装着部材１０は、不織布や布製による平面状マスクを示したが、合成樹脂製や加工紙製による立体構造の立体マスクにすることができる。またマスク１０に顔筋トレーニング具１を設置する設置手段は、上記図示例のものに限定することなく、例えば図１６,１７に示す口角接触具７や図１９で示すような噛挟み具１ａを、マスク１０内にコンパクトで使用し易い設置構造を有して、内装又は着脱自在に設置して使用することができる。また屈伸部材によって形成される口角接触具７は、外皮部Ｃに貼着自在なテープ或はシート等の膜体の所定位置に付設することにより、膜体型の新規な顔筋トレーニング具１を提供することができる。
【０１５０】
次に、図２２に示す運動時に好適に使用可能な運動型（ランニングタイプ）の顔筋トレーニング具１について説明する。この顔筋トレーニング具１は、頭部に鉢巻状に又はヘアバンド状に嵌合させて装着する装着部材（バンド）１０に、つる部１０ｂを介し噛挟み具１ａを実線で示す噛挟み使用姿勢と、噛挟みを解除した非使用姿勢において仮支持する収納姿勢とに切換自在となるように構成している。
このバンド１０は、吸汗部材の設置を可能とする鉢巻状の幅を有するリング状又はＵ字状の帯状体としており、自身が有する弾性力或は緊締構造を介して頭部に嵌合状態で装着される。そして、バンド１０は、噛挟み具１ａの両端側を支持する各つる部１０ｂの後端を左右の取付部１０ｔを介して取付けていると共に、姿勢変更手段を介して使用姿勢から非使用時の収納姿勢に切換えられる噛挟み具１ａの姿勢を保持するフックやボックス等からなる姿勢保持手段１３を備えている。
【０１５１】
即ち、実施形態の姿勢保持手段１３は、バンド１０の両側につる部１０ｂを係脱自在に係止することができるＬ字状のフック部１３ａを設ける構造、或はバンド１０の前部に噛挟み具１ａを係脱自在に係止することができるＣ字状のボックス部１３ｂを設けて構成することができる。また噛挟み具１ａを使用姿勢と収納姿勢とに切換る姿勢変更手段は、バンド１０に取付部１０ｔを前後移動自在にするスライド支持構造や、つる部１０ｂを可撓性を有する伸縮構造等によって構成することができる。これにより顔筋トレーニング具１は、例えばランニングやジョギング並びにダンス等の運動或はカラオケ練習等を行う際、或はスマホメール時間を活用して噛挟み具１ａを好適に使用することができる。
【０１５２】
即ち、運動時に噛挟み具１ａが激しい上下運動を受けても、舌動部５が噛挟み具１ａの口前側への移動を規制すると共に、噛挟み具１ａはバンド１０からつる部１０ｂを介し口に銜えた実線の使用姿勢に保持されるので、発声や顔筋及び笑顔トレーニング等を併せて支障なく行うことができる。また上記運動中に顔筋トレーニング等を一時的に中断したい場合に、噛挟み具１ａを姿勢変更手段の姿勢維持力に抗して前側移動させて口から外すと共に、取付部１０ｔ側を支点につる部１０ｂをフック部１３ａに係止させるか、又は噛挟み具１ａをボックス部１３ｂに直接的に係止することにより、噛挟み具１ａを顔から退避させながら頭部側に移動しバンド１０に仮支持状態にすることができる。尚、ボックス部１３ｂには、必要により噛挟み具１ａを収納自在な滑舌棒ケース１３ｃを着脱自在に取付けることができる。
【０１５３】
以上のように構成される顔筋トレーニング具１は、頭部に嵌合させて装着する装着部材（バンド）１０に、つる部１０ｂを介し噛挟み具１ａを実線で示す噛挟み使用姿勢から、噛挟みを解除した非使用姿勢の噛挟み具１ａをバンド１０に仮支持する収納姿勢に切換ると共に、逆順の動作によって再使用を速やかに行うことができるので、長時間のランニングや散歩等の時間を利用した噛挟み具１ａによる相乗的トレーニングを行い易くすることができる。また近年提唱されている、短距離走において顔筋を笑顔状態にすることが記録更新改善に繋がると証明されているスポーツ理論に基づけば、この噛挟み具１ａは笑顔状態でのランニングを行い易くすると共に、各種スポーツの記録更新への挑戦トレーニングを行い易くすることができる等の特徴がある。尚、この顔筋トレーニング具１は、バンド１０に局部的に鼻のみを覆うように構成された鼻マスク３４を２点鎖線で示すように設けることができ、この場合には大気汚染が心配される際のトレーニングも支障なく利便性を有して行うことができる。また必要により口前カバー３４ａを設けることができ、前記マスク１０と同様に口元側を簡単に覆うことができる。また鼻マスク３４と噛挟み具１ａは、使用者に自動又は手動手段によって、例えば芳香剤、甘味剤、栄養剤、薬剤等を選択可能供給する構成にしてもよい。
【０１５４】
次に、図２３を参照し折畳み自在な装着部材１０に、噛挟み具１ａを着脱自在に取付けることができる顔筋トレーニング具１について説明する。この顔筋トレーニング具１は、既述のものと同様なＵ字形状の横連結部材１０ｃの左右に、噛挟み具１ａの左右端を係脱自在に取付ける取付手段９を構成し、該取付手段９の下部近傍に構成される折畳部２５を介してつる部１０ｂを連結している。図（ａ）,（ｂ）に示す取付手段９は、内向きに対向して噛挟み具１ａの両端を係止する係合部材２６を、横連結部材１０ｃに固設されるホルダ２７内に左右移動自在に支持した状態で、両者間に張りスプリング２７ａを介装し係合部材２６を係合方向に付勢している。係合部材２６は、内方側に噛挟み具１ａの端部を内嵌又は外嵌することによって係止する係止片２６ａ,２６ｂを形成し、外方側に鍔状のストッパ２６ｃを突設している。
【０１５５】
これにより取付手段９は実線で示すように、噛挟み具１ａのパイプ孔左右端を左右の係合部材２６の係止片２６ａに内嵌させることによって使用姿勢に支持することができると共に、係合部材２６をスプリング２７ａの付勢力に抗して外方に移動させることにより、使用姿勢を解除して噛挟み具１ａを取り外すことができる。さらに、係合部材２６は、係止片２６ｂ内を円錐状の嵌合面にしているため、図（ｂ）に２点鎖線で示すような経大な噛挟み具１ａを外嵌によって使用姿勢に支持することができ、形状の異なる噛挟み具１ａをワンタッチ状に着脱することができる。また噛挟み具１ａは取付軸心周りの回動支持を容易にするので、前記した噛挟み時の口内での使用感並びにトレーニング休止状の口前側での挟持保持等の仮保持を簡単にすることができる等の利点がある。
【０１５６】
また取付手段９の取付構造を利用して、例えば係合部材２６内に中空部２６ｄを形成することが容易であり、該中空部２６ｄ内にスピーカ、マイク、振動発生器等の補助機器６類を収納することにより、顔筋トレーニング具１の前記した用途毎の使用性を高めることができる。
一方、図（ｃ）に示す取付手段９は、横連結部材１０ｃの両端部に形成した係合部材２６の取付孔２８に枕部３を有する噛挟み具１ａの左右端を挿入することができ、これにより噛挟み具１ａを使用姿勢に支持すると共に、横連結部材１０ｃの端部を矢印方向に移動させることにより、噛挟み具１ａを取付孔２８との係合を解除して簡単に取り外すことができる。このとき噛み本体２の左右に突設される枕部３は、噛挟み具１ａの左右移動を規制するストッパ部材を兼ねるため、噛挟み具１ａの使用姿勢を安定的に保持すると共に、取り外した噛挟み具１ａを衛生的に仮置きや保管をすることができる。
【０１５７】
装着部材１０は、横連結部材１０ｃの左右上部に湾曲状に形成される外側面に、蝶番構造からなる折畳部２５を所定の折畳角度を有して設けており、該折畳部２５を介してつる部１０ｂの基部を回動自在に軸支している。またつる部１０ｂは該基部から上方に立ち上げた起立部を介して耳掛け部１０ｅを後方に向け延長形成している。
これにより顔筋トレーニング具１は、左右のつる部１０ｂを実線で示す使用姿勢にしたとき、噛挟み具１ａを口に銜えた状態で耳掛け部１０ｅを耳にかけて発声トレーニング等を行うことができる。そして、左右のつる部１０ｂは矢印方向に折畳むことができ、折畳部２５の構造及びつる部基部の起立形状によって、２点鎖線で示すように噛挟み具１ａの上方側において、左右のつる部１０ｂの折畳姿勢を厚くすることなく薄い折畳み格納状態にすることができる。このとき横連結部材１０ｃに取付手段９を介して回動自在に支持される滑舌棒は、上記格納状態のつる部１０ｂと横連結部材１０ｃとに側面視で平坦状に沿わせることができ、嵩張らないコンパクトな格納状態にすることができる。
【０１５８】
尚、つる部１０ｂは、その中途部にＵ又は逆Ｕ字状に屈曲させた屈伸部２９を設けると、つる部長さの調節を屈伸部２９の変形調節（調子取り）を介して簡単に行うことができる。また屈伸部２９は所望の指圧具等の取付部にすることができる。
以上のように構成される顔筋トレーニング具１は、装着部材１０に噛挟み具１ａを回動及び着脱自在に設けて使用し易くすることができ、また薄い折畳み格納状態にすることができるため携帯使用時の利便性を向上させることができる。またつる部１０ｂの折畳み構造は、蝶番構造に限ることなく、内向きに折り曲げ又は屈伸自在な合成樹脂部材或は合金部材やワイヤ部材からなるフレキシブル型継手によって簡潔安価に製作しながら、つる部１０ｂを噛挟み具１ａに沿わせた薄型でコンパクトな折畳姿にしてもよい。また上記構成による顔筋トレーニング具１は、各構成部材を貴金属を使用した製作も容易であるため、シンプル且つゴージャスな美観を備えながら各種トレーニングを快適に行い易くすることができるので、飽きを生じさせ難くすることができる等の特徴がある。
【０１５９】
一方、この発声トレーニング具１ａは、顔筋に動力的な振動負荷を付与する顔筋運動手段４０を構成し使用することができる実施形態を示している。即ち、図示する顔筋運動手段４０は、滑舌棒１の両端又は左右の装着部材１０に着脱自在に設けることができ、口に銜えた滑舌棒１を介して顔筋運動手段４０による運動を顔に伝えることができる。これにより日頃鍛え難い顔の筋肉を強制的且つ楽に鍛えると共に、好奇心や楽しみも喚起しながら飽きを生じ難いトレーニングを目指せるようにしている。この顔筋運動手段４０は、回転運動機構、往復運動機構、振動機構等所望の機構からなる駆動部４１と、該駆動部４１を滑舌棒１又は係合部材２６に接続する取付部４２と、駆動部４１に支持されて作動自在な弾性力を有する帯板状或は丸棒状の作動部材４３等により構成している。
【０１６０】
また作動部材４３は、所定長さの帯状板の自由端にウエイト（バランスウエイト）４５を設けることにより、駆動部４１の運動に基づく板厚方向の振幅エネルギや遠心方向エネルギをより増大させるようにしている。また駆動部４１の停止状態において使用者が顔を上下又は左右に動かす運動をするとき、運動動作に基づくウエイト４５を有する作動部材４３の共振運動を大きくし、このエネルギを噛挟み姿勢の滑舌棒１を介し口及び顔の筋肉に効率よく伝えて負荷をかけることができる。このように顔筋運動手段４０を備える発声トレーニング具１ａは、滑舌棒１を銜えた状態で駆動部４１の操作スイッチを選択操作することにより、作動部材４３を２点鎖線矢印で示すように、正転又は逆転又は上下運動をウエイト４５の作用を付加して口に強く伝えることができ、４０種程あると言われる多数の筋肉に動力負荷を確実に付与しながら顔筋トレーニングを容易に行うことができる。
【０１６１】
また駆動部４１を停止させた状態では、使用者が顔を動かす動作によって所望の顔筋トレーニングを自由に行うことができる等の特徴がある。また顔筋運動手段４０は、装着部材１０を有しない滑舌棒１に設けた単独使用を可能にすることができると共に、滑舌棒１を有しない状態の装着部材１０に設けた単独使用を可能にすることができ、いずれの場合でも顔筋トレーニングを好適に促進し、特に顔の下半筋肉を強制的に鍛えてたるみを改善した引き締め効果による美しい顔を早期に目指すことができる。
【０１６２】
尚、滑舌棒１を介して顔筋運動手段４０による動力的顔筋トレーニングを行う場合には、噛み部２ａに２点鎖線で示すような厚噛み部２ｃに相当するクッション性を有するマウスピース部材を着脱又は一体的に設けて使用することができる。また滑舌棒１の両側に作動部材４３を一体又は着脱自在に設けるとき、左右のウエイト４５部に振動機器からなる駆動部４１をウエイト付加部材として好適に設けることができる。
この場合には、舌動部５の他に任意形状の滑舌棒や噛挟み具に作動部材４３を設けた顔筋トレーニング具の単独的な商品化を容易にすることができる。また上記左右の駆動部４１は、一定又は不定の振動を切換自在に設けることが望ましい。
【０１６３】
以上のように構成される噛挟み具１ａ及び顔筋トレーニング具１は、例えばトレーニングや使用目的に対応した品揃え（シリーズ化）と応用開発及びそのトレーニング方法の新規開発展開を図ることができると共に、各種トレーニング効果の検証と展開を通し、笑顔や発声と運動の連携方法を研究構築することにより、ビジネス活性人材の育成は基より、認知力活性や関連医療分野での有効ツール化とその利用文化等の創成と展開を図ることができる。
【０１６４】
一方、前記したように小学生から中学生向けのモノヅクリ工作教材として、また上記課題に対する高校生から大学生用の滑舌や笑顔並びに発声や顔筋等のトレーニングを解明する研究テーマ材としても好適化させることができる。さらに、各種学習塾や研修関連分野等では、顔筋トレーニング具１や噛挟み具１ａを活用した総合学習の機会として、学力向上用の授業に非特許文献１に記載提唱されている趣旨によるビジネス人材育成等の特別付加価値を融合させる総合授業の促進を容易にする。従って、日本で急務とされている、若者の会話能力の向上及び早期ビジネスマン教育の実践をより能率よく容易に行うことができる等の特徴がある。
【０１６５】
さらに、トレーニング時の言葉やフレーズは、汎用されている在来のもののほか、音読み発声に勝れその語彙が潜在意識に入り易くよりよい記憶を形成し、且つ各自の人生創造に役立つキーワードであることが望ましく、例えば、「明強優美，満快楽気、柔和良華工利，勇遊勉，感創学、仁義智、元笑・・」等の簡明な創作キーワードや、音読リズムに勝れた例えば勝海舟が愛語した「六然訓」など、先達による格言や語録の展開を各分野毎に体系化を図ることにより、創造性やビジネスに必要とされるスキルを高めるトレーニング用語をマニュアル化することができる。また上記のようなスキルアップトレーニングの促進は、パソコンやウェアラブル端末等を利用したトレーニング補助（助成）技術と、トレーニング手法の構築により滑舌棒利用文化の創成展開を図り易くすることができ、また構築に向けての新規課題を提供することができる。
【符号の説明】
【０１６６】
１  顔筋トレーニング具
１ａ  噛挟み具（滑舌棒）
１ｂ  片側噛挟み具
２  噛み本体
２ａ  噛み部２ａ
２ｂ  内側非噛み部
２ｃ  厚噛み部
２ｓ  外側非噛み部
３  枕部
５  舌動部
６  補助機器（トレーニング助成手段）
７  口角接触具（顔接触部）
７ａ  口外接触片
７ｂ  口内接触片
７ｃ  口縁接触軸部
７ｔ  取付孔（通気口）
８  つる本体
８ａ  支持部
８ｂ  つる部
８ｃ  フック部
８ｍ  枕部
９  取付手段
１０  装着部材（マスク）
１０ｂ  つる部
１０ｃ  横連結部材
１０ｄ  取付部（口縁接触軸部）
１０ｅ  耳掛け部
３５  他機能メガネ
４０  顔筋運動手段（トレーニング助成手段）
４５  メガネフレーム部
Ａ  床面
Ｂ  歯列
Ｃ  外皮部
Ｄ  舌
【図１】
2016063940.tif 000003
【図２】
2016063940.tif 000004
【図３】
2016063940.tif 000005
【図４】
2016063940.tif 000006
【図５】
2016063940.tif 000007
【図６】
2016063940.tif 000008
【図７】
2016063940.tif 000009
【図８】
2016063940.tif 000010
【図９】
2016063940.tif 000011
【図１０】
2016063940.tif 000012
【図１１】
2016063940.tif 000013
【図１２】
2016063940.tif 000014
【図１３】
2016063940.tif 000015
【図１４】
2016063940.tif 000016
【図１５】
2016063940.tif 000017
【図１６】
2016063940.tif 000018
【図１７】
2016063940.tif 000019
【図１８】
2016063940.tif 000020
【図１９】
2016063940.tif 000021
【図２０】
2016063940.tif 000022
【図２１】
2016063940.tif 000023
【図２２】
2016063940.tif 000024
【図２３】
2016063940.tif 000025